(57)【要約】【課題】耐光性、発色性、及び色調に優れた画像を形成できるインクジェット用インクを提供すること。【解決手段】少なくとも、第１の色材及び第２の色材、の２つの色材を含有するインクジェット用インクであって、前記第１の色材が、特定の一般式（Ｉ）で表される化合物であり、前記第２の色材が、特定の一般式（II）で表される化合物であることを特徴とするインクジェット用インク。【選択図】なし【特許請求の範囲】
【請求項１】
少なくとも、第１の色材及び第２の色材、の２つの色材を含有するインクジェット用インクであって、
前記第１の色材が、下記一般式（Ｉ）で表される化合物であり、
前記第２の色材が、下記一般式（II）で表される化合物であることを特徴とするインクジェット用インク。
2010100719.tif 000042
（一般式（Ｉ）中、Ｇはヘテロ環基であり、ｎは１乃至３の整数である。ｎ＝１の場合、Ｒ、Ｘ、Ｙ、Ｚ、Ｑ、及びＧは１価の基である。ｎ＝２の場合、Ｒ、Ｘ、Ｙ、Ｚ、Ｑ、及びＧは１価又は２価の基であり、これらのうち少なくとも１つが２価の基である。ｎ＝３の場合、Ｒ、Ｘ、Ｙ、Ｚ、Ｑ、及びＧは１価、２価、又は３価の基であり、これらのうち少なくとも２つが２価の基か、又はこれらのうち少なくとも１つが３価の基である。）
2010100719.tif 000043
（一般式（II）中、ｎ及びｍはそれぞれ独立に２乃至６の整数であり、Ｒは水素原子又は炭素数１乃至６の脂肪族基であり、Ｍはそれぞれ独立に、水素原子、金属原子、アンモニウム、或いは炭素数１乃至１２のアルキル基、アルコキシアルキル基又はヒドロキシアルキル基で置換されたアンモニウムであり、Ｆはモノアゾ又はポリアゾ残基である。）
【請求項２】
前記一般式（Ｉ）で表される化合物が、下記一般式（III）で表される化合物である請求項１に記載のインクジェット用インク。
2010100719.tif 000044
（一般式（III）中、Ｒ1、Ｒ2、Ｙ1及びＹ2はそれぞれ独立に、１価の基であり、Ｘ1及びＸ2はそれぞれ独立に、ハメットのσｐ値が０．２０以上の電子吸引性基であり、Ｚ1及びＺ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍは、水素原子、アルカリ金属、アンモニウム、又は有機アンモニウムである。）
【請求項３】
前記一般式（III）で表される化合物が、下記一般式（IV）で表される化合物である請求項２に記載のインクジェット用インク。
2010100719.tif 000045
（一般式（IV）中、Ｘ1及びＸ2はそれぞれ独立に、ハメットのσｐ値が０．２０以上の電子吸引性基であり、Ｙ1及びＹ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍはそれぞれ独立に、水素原子、アルカリ金属、アンモニウム、又は有機アンモニウムである。）
【請求項４】
前記一般式（II）で表される化合物が、下記一般式（Ｖ）で表される化合物である請求項１乃至３のいずれか１項に記載のインクジェット用インク。
2010100719.tif 000046
（一般式（Ｖ）中、ｎ及びｍはそれぞれ独立に２乃至６の整数であり、Ｒは水素原子又は炭素数１乃至６の脂肪族基であり、Ｒ1及びＲ2はそれぞれ独立に、水素原子、又は炭素数１乃至３のアルキル基、アルコキシ基、若しくはアシルアミノ基であり、Ｄ1は、フェニル基であるか、アルキル基、アルコキシ基、クロロ基、ブロモ基、カルボキシル基、スルホン酸基からなる群から選ばれる置換基を１個若しくは２個もつフェニル基であるか、又は非置換ナフチル基及びスルホン酸基からなる群から選ばれる置換基を１個若しくは２個もつナフチル基であり、［Ｂ］は下記式（Ａ）で表される基又は下記式（Ｂ）で表される基であり、
2010100719.tif 000047
（式（Ｂ）中、Ｒ3及びＲ4はそれぞれ独立に、水素原子、炭素数１乃至４のアルキル基、炭素数１乃至４のアルコキシ基、クロロ基、ブロモ基、カルボキシル基、又はスルホン酸基である。）
【請求項５】
前記第１の色材のインク中における含有量（質量％）が、前記第２の色材のインク中における含有量（質量％）に対して、質量比率で、１．０以上８．０以下である請求項１乃至４のいずれか１項に記載のインクジェット用インク。
【請求項６】
インクをインクジェット方式で吐出して記録媒体に記録を行うインクジェット記録方法において、前記インクが、請求項１乃至５のいずれか１項に記載のインクジェット用インクであることを特徴とするインクジェット記録方法。
【請求項７】
インクを収容するインク収容部を備えたインクカートリッジにおいて、前記インクが、請求項１乃至５のいずれか１項に記載のインクジェット用インクであることを特徴とするインクカートリッジ。
【請求項８】
インクを収容するインク収容部と、インクを吐出するための記録ヘッドとを備えた記録ユニットにおいて、前記インクが、請求項１乃至５のいずれか１項に記載のインクジェット用インクであることを特徴とする記録ユニット。
【請求項９】
インクを収容するインク収容部と、インクを吐出するための記録ヘッドとを備えたインクジェット記録装置において、前記インクが、請求項１乃至５のいずれか１項に記載のインクジェット用インクであることを特徴とするインクジェット記録装置。
【発明の詳細な説明】
【技術分野】
【０００１】
本発明は、インクジェット用インク、インクジェット記録方法、インクカートリッジ、記録ユニット、及びインクジェット記録装置に関する。
【背景技術】
【０００２】
インクジェット記録方法は、インク小滴を普通紙や光沢メディアなどの記録媒体に付与して画像を形成する記録方法であり、その低価格化、記録速度の向上により、急速に普及が進んでいる。また、インクジェット記録方法により得られる画像の高画質化が進んだことに加えて、デジタルカメラの急速な普及に伴い、銀塩写真に匹敵する画像の出力方法として広く一般的になっている。
【０００３】
近年、インクジェット記録方法は、インク滴の極小化や、多色インクの導入に伴う色域の向上などにより、今まで以上に画像の高画質化が進んでいる。しかしその反面、色材やインクに対する要求はより大きくなり、発色性の向上や、目詰まり、吐出安定性などの信頼性においてより厳しい特性が要求されている。
【０００４】
一方で、インクジェット記録方法の問題点には、得られた記録物の画像保存性が挙げられる。一般に、インクジェット記録方法で得られた記録物は、銀塩写真と比較して、その画像保存性が低い。具体的には、記録物が、光、湿度、熱、空気中に存在する環境ガスなどに長時間さらされた際に、記録物上の色材が劣化し、画像の色調変化や褪色が発生しやすいといった問題がある。
【０００５】
これに対して、画像保存性の中でも特に、画像の耐光性を向上させるために、従来から数多くの提案がなされている。例えば、シアン、マゼンタ、及びイエローの各インクの中でも特に画像の耐光性が低いイエローインクにおいて、画像の耐光性を向上させることができ、かつ、発色性に優れた画像を形成させることができる色材を用いる提案がなされている（特許文献１参照）。
【０００６】
また一方で、イエローインクでは、良好な色調の画像を得ることを目的として、所定の色相角となるように２種の染料を混合させたインクについて提案がなされている（特許文献２）。
【０００７】
【特許文献１】国際公開第２００６／０８２６６９号パンフレット
【特許文献２】特開平９−１４３４０８号公報
【発明の開示】
【発明が解決しようとする課題】
【０００８】
しかし、これらの色材を用いたインクに代表される、従来のインクジェット用インクを用いて得られた記録物では、銀塩写真で要求される耐光性と最適な色調を高いレベルで両立させることが未だ難しいのが実情である。
【０００９】
本発明者らは、上記した課題を鑑みて鋭意検討を行った。そして、記録物として要求される性能（耐光性と色調の両立）を、インク中に含有させる個々の色材が有する特性で分担させることにより、高いレベルで達成できると考えた。しかし、インクに常用される色材を複数種混合させて検討したところ、いずれの配合においても、画像における、耐光性及び色調の少なくともいずれかが不十分であった。さらに、本発明者らが、このような現象が生じる理由について調査を行ったところ、インクを付与した後の記録媒体中における各色材の存在位置によって、個々の色材が本来有する特性が発揮できずに、期待したような画像性能が得られないことが明らかとなった。
【００１０】
したがって、本発明の目的は、耐光性、発色性、及び色調に優れた画像を形成できるインクジェット用インクを提供することにある。また、本発明の別の目的は、前記インクジェット用インクを用いたインクジェット記録方法、インクカートリッジ、記録ユニット、及びインクジェット記録装置を提供することにある。
【課題を解決するための手段】
【００１１】
上記の目的は以下の本発明によって達成される。すなわち、本発明にかかるインクジェット用インクは、少なくとも、第１の色材及び第２の色材、の２つの色材を含有するインクジェット用インクであって、前記第１の色材が、下記一般式（Ｉ）で表される化合物であり、前記第２の色材が、下記一般式（II）で表される化合物であることを特徴とする。
2010100719.tif 000002
（一般式（Ｉ）中、Ｇはヘテロ環基であり、ｎは１乃至３の整数である。ｎ＝１の場合、Ｒ、Ｘ、Ｙ、Ｚ、Ｑ、及びＧは１価の基である。ｎ＝２の場合、Ｒ、Ｘ、Ｙ、Ｚ、Ｑ、及びＧは１価又は２価の基であり、これらのうち少なくとも１つが２価の基である。ｎ＝３の場合、Ｒ、Ｘ、Ｙ、Ｚ、Ｑ、及びＧは１価、２価、又は３価の基であり、これらのうち少なくとも２つが２価の基か、又はこれらのうち少なくとも１つが３価の基である。）
2010100719.tif 000003
（一般式（II）中、ｎ及びｍはそれぞれ独立に２乃至６の整数であり、Ｒは水素原子又は炭素数１乃至６の脂肪族基であり、Ｍはそれぞれ独立に、水素原子、金属原子、アンモニウム、或いは炭素数１乃至１２のアルキル基、アルコキシアルキル基又はヒドロキシアルキル基で置換されたアンモニウムであり、Ｆはモノアゾ又はポリアゾ残基である。）
【００１２】
また、本発明の別の実施態様にかかるインクジェット記録方法は、インクをインクジェット方式で吐出して記録媒体に記録を行うインクジェット記録方法において、前記インクが、上記本発明のインクジェット用インクであることを特徴とする。
【００１３】
また、本発明の別の実施態様にかかるインクカートリッジは、インクを収容するインク収容部を備えたインクカートリッジにおいて、前記インクが、上記本発明のインクジェット用インクであることを特徴とする。
【００１４】
また、本発明の別の実施態様にかかる記録ユニットは、インクを収容するインク収容部と、インクを吐出するための記録ヘッドとを備えた記録ユニットにおいて、前記インクが、上記本発明のインクジェット用インクであることを特徴とする。
【００１５】
また、本発明の別の実施態様にかかるインクジェット記録装置は、インクを収容するインク収容部と、インクを吐出するための記録ヘッドとを備えたインクジェット記録装置において、前記インクが、上記本発明のインクジェット用インクであることを特徴とする。
【発明の効果】
【００１６】
本発明によれば、耐光性、発色性、及び色調に優れた画像を形成できるインクジェット用インクを提供することができる。また、本発明の別の実施態様によれば、前記インクジェット用インクを用いたインクジェット記録方法、インクカートリッジ、記録ユニット、及びインクジェット記録装置を提供することができる。
【発明を実施するための最良の形態】
【００１７】
以下に、本発明の好ましい実施の形態を挙げて、詳細に説明する。
なお、本発明においては、化合物が塩である場合は、インク中では塩はイオンに解離して存在しているが、便宜上、「塩を含有する」と表現する。また、以下の記載において、一般式（Ｉ）で表される化合物は、「一般式（Ｉ）の化合物」と省略して記載することがある。また、一般式（III）で表される化合物、及び、一般式（IV）で表される化合物は、それぞれ、「一般式（III）の化合物」、及び、「一般式（IV）の化合物」と省略して記載することがある。さらに、一般式（II）で表される化合物、及び、一般式（Ｖ）で表される化合物は、それぞれ、「一般式（II）の化合物」、及び、「一般式（Ｖ）の化合物」と省略して記載することがある。
【００１８】
本発明者らは、上述した課題について鋭意検討を行った結果、インクジェット用インクに用い得る色材に関して以下のことを見出した。すなわち、インクを付与した際の記録媒体中における各色材の存在位置がこれらの色材の特性を発揮するための好適な位置に制御される、高い耐光性を有する第１の色材、及び、第１の色材に対して色調改良特性のある第２の色材を見出した。つまり、これらの色材を含有することで、画像における耐光性及び色調を高いレベルで両立して達成できるインクジェット用インクを見出した。また、本発明者らは、このようなインクジェット用インクにおいて、さらに高いレベルの画像の耐光性を達成させる、第１の色材の好適な構造、第１の色材と第２の色材のインク中における好適な質量比率、第２の色材の好適な構造をそれぞれ見出した。以下、このような効果を発揮させるインクジェット用インクを見出した経緯について詳細に説明する。
【００１９】
前記したように、インクジェット用インクとして広く用いられるイエロー、マゼンタ、及びシアンの各インクの中でも特に、イエローインクが画像における耐光性に劣る傾向がある。そこで、本発明者らは、イエローインクに用いる色材について種々検討を行った。その結果、特に、上記した特許文献１に記載されている下記一般式（Ｉ）の化合物、その中でも下記一般式（III）の化合物、及び、特にその中でも下記一般式（IV）の化合物が、耐光性及び発色性に優れる画像を形成可能であることに着目した。
【００２０】
2010100719.tif 000004
（一般式（Ｉ）中、Ｇはヘテロ環基であり、ｎは１乃至３の整数である。ｎ＝１の場合、Ｒ、Ｘ、Ｙ、Ｚ、Ｑ、及びＧは１価の基である。ｎ＝２の場合、Ｒ、Ｘ、Ｙ、Ｚ、Ｑ、及びＧは１価又は２価の基であり、これらのうち少なくとも１つが２価の基である。ｎ＝３の場合、Ｒ、Ｘ、Ｙ、Ｚ、Ｑ、及びＧは１価、２価、又は３価の基であり、これらのうち少なくとも２つが２価の基か、又はこれらのうち少なくとも１つが３価の基である。）
【００２１】
2010100719.tif 000005
（一般式（III）中、Ｒ1、Ｒ2、Ｙ1及びＹ2はそれぞれ独立に、１価の基であり、Ｘ1及びＸ2はそれぞれ独立に、ハメットのσｐ値が０．２０以上の電子吸引性基である。Ｚ1及びＺ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基。又は置換若しくは無置換のヘテロ環基である。Ｍは、水素原子、アルカリ金属、アンモニウム、又は有機アンモニウムである。）
【００２２】
2010100719.tif 000006
（一般式（IV）中、Ｘ1及びＸ2はそれぞれ独立に、ハメットのσｐ値が０．２０以上の電子吸引性基である。Ｙ1及びＹ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基。又は置換若しくは無置換のヘテロ環基である。Ｍはそれぞれ独立に、水素原子、アルカリ金属、アンモニウム、又は有機アンモニウムである。）
【００２３】
しかし、本発明者らが、色材として、一般式（Ｉ）の化合物、一般式（III）の化合物、又は一般式（IV）の化合物のみを含有するインクをそれぞれ調製し、様々な検討を行ったところ、画像の色調や色域に関して以下に述べる課題があることがわかった。すなわち、一般式（Ｉ）の化合物、一般式（II）の化合物、又は一般式（IV）の化合物のみを色材として含有するそれぞれのインクを用いて形成した画像は、その色調が緑味であることがわかった。さらに、前記インクと、種々の色相角を有するシアンインクやマゼンタインクとを組み合わせて形成した画像における色域、特にはレッド領域の色域が満足に得られないことがわかった。
【００２４】
本発明者らは、一般式（Ｉ）の化合物、一般式（III）の化合物、又は一般式（IV）の化合物と、画像の色調を整える色材とを併用することにより、上記した従来のインクのもつ短所が改善できると考えた。しかし、画像の色調を整えるために、一般式（Ｉ）の化合物、一般式（III）の化合物、又は一般式（IV）の化合物と、一般的な色材とを併用したインクジェット用インクについて、記録物の耐光性試験を行ったところ、以下のことがわかった。すなわち、一般式（Ｉ）の化合物、一般式（III）の化合物、又は一般式（IV）の化合物を含有するインクが本来有している画像の耐光性よりも大きく低下していることが判明した。
【００２５】
そこで、本発明者らは、一般式（Ｉ）の化合物、一般式（III）の化合物、又は一般式（IV）の化合物と一般的な色材とを併用したインクで記録した記録物について、記録媒体の断面を詳細に調査した。その結果、一般式（Ｉ）の化合物、一般式（III）の化合物、又は一般式（IV）の化合物と、前記一般的な色材とが、記録媒体の深さ方向（厚さの方向）において、ほぼ同様の位置に存在していることが明らかとなった。このような色材の存在状態では、画像における耐光性は、一般式（Ｉ）の化合物、一般式（III）の化合物、又は一般式（IV）の化合物と比較して耐光性に劣る前記一般的な色材の性能に影響されるものと推測される。その結果、前記した通り、一般式（Ｉ）の化合物、一般式（III）の化合物、又は一般式（IV）の化合物と、前記一般的な色材とを併用したインクにおいて、形成される画像の耐光性が低下したものと推測される。
【００２６】
そこで、本発明者らは、インクを付与した際、一般式（Ｉ）の化合物、一般式（III）の化合物、又は一般式（IV）の化合物より相対的に記録媒体の深さ方向に沈み込んだ位置に存在でき、画像の耐光性と色調を両立させ得る第２の色材について探求した。すなわち、一般式（Ｉ）の化合物、一般式（III）の化合物、又は一般式（IV）の化合物が本来有する耐光性を損なうことなく、かつ、画像の色調を優れたものとできる第２の色材について探求した。その結果、このような第２の色材として、下記一般式（II）の化合物、その中でも、特に下記一般式（Ｖ）の化合物が好ましいことを見出した。
【００２７】
2010100719.tif 000007
（一般式（II）中、ｎ及びｍはそれぞれ独立に２乃至６の整数である。Ｒは水素原子又は炭素数１乃至６の脂肪族基である。Ｍはそれぞれ独立に、水素原子、金属原子、アンモニウム、或いは炭素数１乃至１２のアルキル基、アルコキシアルキル基又はヒドロキシアルキル基で置換されたアンモニウムである。Ｆはモノアゾ又はポリアゾ残基である。）
【００２８】
2010100719.tif 000008
（一般式（Ｖ）中、ｎ及びｍはそれぞれ独立に２乃至６の整数である。Ｒは水素原子又は炭素数１乃至６の脂肪族基であり、Ｒ1及びＲ2はそれぞれ独立に、水素原子、又は炭素数１乃至３のアルキル基、アルコキシ基、若しくはアシルアミノ基である。Ｄ1は、フェニル基であるか、アルキル基、アルコキシ基、クロロ基、ブロモ基、カルボキシル基、スルホン酸基からなる群から選ばれる置換基を１個若しくは２個もつフェニル基であるか。又は非置換ナフチル基及びスルホン酸基からなる群から選ばれる置換基を１個若しくは２個もつナフチル基である。［Ｂ］は下記式（Ａ）で表される基又は下記式（Ｂ）で表される基であり、
2010100719.tif 000009
（式（Ｂ）中、Ｒ3及びＲ4はそれぞれ独立に、水素原子、炭素数１乃至４のアルキル基、炭素数１乃至４のアルコキシ基、クロロ基、ブロモ基、カルボキシル基、又はスルホン酸基である。）
【００２９】
これまでに述べてきたように、本発明のインクジェット用インクの特徴は、耐光性に優れた前記一般式（Ｉ）の化合物（第１の色材）と、画像の色調を整える前記一般式（II）の化合物（第２の色材）とを併用させることにある。そして、本発明では、第１の色材として、前記一般式（Ｉ）の化合物を用いるが、その中でも前記一般式（III）の化合物、さらに、その中でも特に前記一般式（IV）の化合物を用いることが好ましい。また、第２の色材として、前記一般式（II）の化合物を用いるが、その中でも特に前記一般式（Ｖ）の化合物を用いることが好ましい。このように、インクに用いる色材を、特定の構造を有する化合物の組み合わせとすることで、本発明の効果が特に顕著に得られる。以下に、本発明のインクジェット用インクについて詳細に説明する。
【００３０】
＜インク＞
以下、本発明にかかるインクジェット用インク（以下、単にインクと呼ぶこともある）を構成する成分や、インクの物性などについて詳細に述べる。
【００３１】
（色材）
〔第１の色材〕
本発明のインクは、耐光性及び発色性に優れるという特徴を有する、下記一般式（Ｉ）の化合物を、第１の色材として含有することが必要である。本発明においては、下記一般式（Ｉ）の化合物の中でも、後述する一般式（III）の化合物、その中でも特に、後述する一般式（IV）の化合物を使用することが好ましい。以下、これらの一般式で表される化合物について説明する。
【００３２】
2010100719.tif 000010
（一般式（Ｉ）中、Ｇはヘテロ環基である。ｎは１乃至３の整数である。ｎ＝１の場合、Ｒ、Ｘ、Ｙ、Ｚ、Ｑ、及びＧは１価の基である。ｎ＝２の場合、Ｒ、Ｘ、Ｙ、Ｚ、Ｑ、及びＧは１価又は２価の基であり、これらのうち少なくとも１つが２価の基である。ｎ＝３の場合、Ｒ、Ｘ、Ｙ、Ｚ、Ｑ、及びＧは１価、２価、又は３価の基であり、これらのうち少なくとも２つが２価の基か、又はこれらのうち少なくとも１つが３価の基である。）
【００３３】
以下に、前記一般式（Ｉ）の化合物についてさらに詳しく説明する。
一般式（Ｉ）中、Ｇはヘテロ環基であるが、５員乃至８員ヘテロ環基であることが好ましく、その中でも５員或いは６員の置換又は無置換の芳香族若しくは非芳香族のヘテロ環基であることが好ましく、それらはさらに縮環していてもよい。さらに好ましくは、炭素数３乃至３０の５員又は６員の芳香族のヘテロ環基である。
【００３４】
一般式（Ｉ）において、Ｇで表されるヘテロ環基の具体例としては、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール。インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール。チアジアゾール、イソオキサゾール、ベンズイソオキサゾール、ピロリジン、ピペリジン、ピペラジン、イミダゾリジン、チアゾリン、スルホランなどが挙げられる。
【００３５】
また、Ｇで表されるヘテロ環基が、さらに置換基を有することが可能な基であるときは、以下に挙げたような置換基をさらに有してもよい。
【００３６】
炭素数１乃至１２の直鎖又は分岐鎖アルキル基。炭素数７乃至１８の直鎖又は分岐鎖アラルキル基。炭素数２乃至１２の直鎖又は分岐鎖アルケニル基。炭素数２乃至１２の直鎖又は分岐鎖アルキニル基。炭素数３乃至１２の直鎖又は分岐鎖シクロアルキル基。炭素数３乃至１２の直鎖又は分岐鎖シクロアルケニル基（以上の各基は、分岐鎖を有するものであることが、染料の溶解性及びインクの安定性を向上させる理由から好ましく、不斉炭素を有するものであることが特に好ましい。以上の各基は、例えば、メチル、エチル、プロピル、イソプロピル、ｓｅｃ−ブチル、ｔ−ブチル、２−エチルヘキシル、２−メチルスルホニルエチル、３−フェノキシプロピル、トリフルオロメチル、シクロペンチルが挙げられる。）。ハロゲン原子（例えば、塩素原子、臭素原子）。アリール基（例えば、フェニル、４−ｔ−ブチルフェニル、２，４−ジ−ｔ−アミルフェニル）。ヘテロ環基（例えば、イミダゾリル、ピラゾリル、トリアゾリル、２−フリル、２−チエニル、２−ピリミジニル、２−ベンゾチアゾリル）。シアノ基。ヒドロキシル基。ニトロ基。カルボキシル基。アミノ基。アルコキシ基（例えば、メトキシ、エトキシ、２−メトキシエトキシ、２−メチルスルホニルエトキシ）。アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェニルオキシ）。アシルアミノ基（例えば、アセトアミド、ベンズアミド、４−（３−ｔ−ブチル−４−ヒドロキシフェノキシ）ブタンアミド）。アルキルアミノ基（例えば、メチルアミノ、ブチルアミノ、ジエチルアミノ、メチルブチルアミノ）。アリールアミノ基（例えば、フェニルアミノ、２−クロロアニリノ）。ウレイド基（例えば、フェニルウレイド、メチルウレイド、Ｎ，Ｎ−ジブチルウレイド）。スルファモイルアミノ基（例えば、Ｎ，Ｎ−ジプロピルスルファモイルアミノ）。アルキルチオ基（例えば、メチルチオ、オクチルチオ、２−フェノキシエチルチオ）。アリールチオ基（例えば、フェニルチオ、２−ブトキシ−５−ｔ−オクチルフェニルチオ、２−カルボキシフェニルチオ）。アルコキシカルボニルアミノ基（例えば、メトキシカルボニルアミノ）。アルキルスルホニルアミノ基及びアリールスルホニルアミノ基（例えば、メチルスルホニルアミノ、フェニルスルホニルアミノ、ｐ−トルエンスルホニルアミノ）。カルバモイル基（例えば、Ｎ−エチルカルバモイル、Ｎ，Ｎ−ジブチルカルバモイル）。スルファモイル基（例えば、Ｎ−エチルスルファモイル、Ｎ，Ｎ−ジプロピルスルファモイル、Ｎ−フェニルスルファモイル）。スルホニル基（例えば、メチルスルホニル、オクチルスルホニル、フェニルスルホニル、ｐ−トルエンスルホニル）。アルコキシカルボニル基（例えば、メトキシカルボニル、ブチルオキシカルボニル）。ヘテロ環オキシ基（例えば、１−フェニルテトラゾール−５−オキシ、２−テトラヒドロピラニルオキシ）。アゾ基（例えば、フェニルアゾ、４−メトキシフェニルアゾ、４−ピバロイルアミノフェニルアゾ、２−ヒドロキシ−４−プロパノイルフェニルアゾ）。アシルオキシ基（例えば、アセトキシ）。カルバモイルオキシ基（例えば、Ｎ−メチルカルバモイルオキシ、Ｎ−フェニルカルバモイルオキシ）。シリルオキシ基（例えば、トリメチルシリルオキシ、ジブチルメチルシリルオキシ）。アリールオキシカルボニルアミノ基（例えば、フェノキシカルボニルアミノ）。イミド基（例えば、Ｎ−スクシンイミド、Ｎ−フタルイミド）。ヘテロ環チオ基（例えば、２−ベンゾチアゾリルチオ、２，４−ジ−フェノキシ−１，３，５−トリアゾール−６−チオ、２−ピリジルチオ）。スルフィニル基（例えば、３−フェノキシプロピルスルフィニル）。ホスホニル基（例えば、フェノキシホスホニル、オクチルオキシホスホニル、フェニルホスホニル）。アリールオキシカルボニル基（例えば、フェノキシカルボニル）。アシル基（例えば、アセチル、３−フェニルプロパノイル、ベンゾイル）。イオン性親水性基（例えば、カルボキシル基、スルホン酸基、ホスホノ基及び４級アンモニウム基）が挙げられる。
【００３７】
一般式（Ｉ）中、Ｑ、Ｒ、Ｘ、Ｙ、及びＺで表される基の好ましい具体例について詳細に説明する。なお、一般式（Ｉ）中、これらのＱ、Ｒ、Ｘ、Ｙ、及びＺは、全て同じであっても、又はその一部が異なっていてもよく、さらには全てが異なっていてもよい。
Ｑ、Ｒ、Ｘ、Ｙ、及びＺが１価の基である場合、Ｑ、Ｒ、Ｘ、Ｙ、及びＺで表される基としては、水素原子、又は１価の置換基が挙げられる。１価の置換基の具体例としては、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基。ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）。アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基。アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基。シリル基、アゾ基、及びイミド基を挙げることができ、各々の基は、さらに置換基を有していてもよい。
【００３８】
中でも特に好ましいものは、水素原子、ハロゲン原子、アルキル基、アリール基、ヘテロ環基、シアノ基、アルコキシ基、アミド基、ウレイド基、アルキルスルホニルアミノ基、アリールスルホニルアミノ基。スルファモイル基、アルキルスルホニル基、アリールスルホニル基、カルバモイル基、又はアルコキシカルボニル基である。特に水素原子、ハロゲン原子、アルキル基、アリール基、シアノ基、アルキルスルホニル基、アリールスルホニル基、又はヘテロ環基が好ましく、さらには、水素原子、アルキル基、アリール基、シアノ基、又はアルキルスルホニル基が最も好ましい。
【００３９】
以下に、一般式（Ｉ）において、Ｑ、Ｒ、Ｘ、Ｙ、及びＺで表される基をさらに詳しく説明する。
ハロゲン原子としては、塩素原子、臭素原子、及びヨウ素原子が挙げられる。中でも塩素原子、又は臭素原子が好ましく、特に塩素原子が好ましい。
【００４０】
アルキル基としては、置換又は無置換のアルキル基が挙げられる。置換又は無置換のアルキル基の中でも、炭素数が１乃至３０のアルキル基が好ましい。置換基の具体例としては、上記Ｇがさらに置換基を有することが可能な基であるときに挙げたような置換基と同じものが挙げられる。中でも、ヒドロキシ基、アルコキシ基、シアノ基、ハロゲン原子、スルホン酸基（塩の形でもよい）又はカルボキシル基（塩の形でもよい）が好ましい。前記アルキル基の具体例としては、メチル、エチル、ブチル、ｔ−ブチル、ｎ−オクチル、エイコシル、２−クロロエチル、ヒドロキシエチル、シアノエチル、及び４−スルホブチルが挙げられる。
【００４１】
シクロアルキル基としては、置換又は無置換のシクロアルキル基が挙げられる。置換基又は無置換のシクロアルキル基の中でも、炭素数が５乃至３０のシクロアルキル基が好ましい。置換基の具体例としては、上記Ｇがさらに置換基を有することが可能な基であるときに挙げたような置換基と同じものが挙げられる。前記シクロアルキル基の具体例としては、シクロヘキシル、シクロペンチル、及び４−ｎ−ドデシルシクロヘキシルが挙げられる。
【００４２】
アラルキル基としては、置換又は無置換のアラルキル基が挙げられる。置換又は無置換のアラルキル基の中でも、炭素数が７乃至３０のアラルキル基が好ましい。置換基の具体例としては、上記Ｇがさらに置換基を有することが可能な基であるときに挙げたような置換基と同じものが挙げられる。前記アラルキルの具体例としては、ベンジル及び２−フェネチルが挙げられる。
【００４３】
アルケニル基としては、直鎖、分岐、環状の、置換又は無置換のアルケニル基が挙げられる。好ましくは炭素数２乃至３０の置換又は無置換のアルケニル基であり、例えば、ビニル、アリル、プレニル、ゲラニル、オレイル、２−シクロペンテンー１−イル、及び２−シクロヘキセンー１−イルなどが挙げられる。置換基の具体例としては、上記Ｇがさらに置換基を有することが可能な基であるときに挙げたような置換基と同じものが挙げられる。
【００４４】
アルキニル基としては、炭素数２乃至３０の置換又は無置換のアルキニル基であり、例えば、エチニル及びプロパルギルが挙げられる。置換基の具体例としては、上記Ｇがさらに置換基を有することが可能な基であるときに挙げたような置換基と同じものが挙げられる。
【００４５】
アリール基としては、炭素数６乃至３０の置換若しくは無置換のアリール基であり、例えば、フェニル、ｐ−トリル、ナフチル、ｍ−クロロフェニル、及びｏ−ヘキサデカノイルアミノフェニルが挙げられる。置換基の具体例としては、上記Ｇがさらに置換基を有することが可能な基であるときに挙げたような置換基と同じものが挙げられる。
【００４６】
ヘテロ環基としては、５員或いは６員の置換又は無置換の芳香族若しくは非芳香族のヘテロ環化合物から１個の水素原子を取り除いた１価の基が挙げられ、それらはさらに縮環していてもよい。さらに好ましくは、炭素数３乃至３０の５員又は６員の芳香族のヘテロ環基である。置換基の具体例としては、上記Ｇがさらに置換基を有することが可能な基であるときに挙げたような置換基と同じものが挙げられる。前記ヘテロ環基の具体例としては、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン。ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール。イソオキサゾール、ベンズイソオキサゾール、ピロリジン、ピペリジン、ピペラジン、イミダゾリジン、チアゾリンなどが挙げられる。
【００４７】
アルコキシ基としては、置換又は無置換のアルコキシ基が挙げられる。置換又は無置換のアルコキシ基としては、炭素数が１乃至３０のアルコキシ基が好ましい。置換基の具体例としては、上記Ｇがさらに置換基を有することが可能な基であるときに挙げたような置換基と同じものが挙げられる。前記アルコキシ基の具体例としては、メトキシ、エトキシ、イソプロポキシ、ｎ−オクチルオキシ、メトキシエトキシ、ヒドロキシエトキシ及び３−カルボキシプロポキシなどが挙げられる。
【００４８】
アリールオキシ基としては、炭素数６乃至３０の置換又は無置換のアリールオキシ基が挙げられる。置換基の具体例としては、上記Ｇがさらに置換基を有することが可能な基であるときに挙げたような置換基と同じものが挙げられる。前記アリールオキシ基の具体例としては、フェノキシ、２−メチルフェノキシ、４−ｔ−ブチルフェノキシ、３−ニトロフェノキシ、及び２−テトラデカノイルアミノフェノキシなどが挙げられる。
【００４９】
シリルオキシ基としては、炭素数３乃至２０のシリルオキシ基が好ましく、例えば、トリメチルシリルオキシ及びｔ−ブチルジメチルシリルオキシなどが挙げられる。
【００５０】
ヘテロ環オキシ基としては、炭素数２乃至３０の置換又は無置換のヘテロ環オキシ基が挙げられる。置換基の具体例としては、上記Ｇがさらに置換基を有することが可能な基であるときに挙げたような置換基と同じものが挙げられる。前記ヘテロ環オキシ基の具体例としては、１−フェニルテトラゾール−５−オキシ及び２−テトラヒドロピラニルオキシなどが挙げられる。
【００５１】
アシルオキシ基としては、ホルミルオキシ基、炭素数２乃至３０の置換又は無置換のアルキルカルボニルオキシ基、炭素数６乃至３０の置換又は無置換のアリールカルボニルオキシ基が挙げられる。置換基の具体例としては、上記Ｇがさらに置換基を有することが可能な基であるときに挙げたような置換基と同じものが挙げられる。前記アシルオキシ基の具体例としては、ホルミルオキシ、アセチルオキシ、ピバロイルオキシ、ステアロイルオキシ、ベンゾイルオキシ、及びｐ−メトキシフェニルカルボニルオキシなどが挙げられる。
【００５２】
カルバモイルオキシ基としては、炭素数１乃至３０の置換又は無置換のカルバモイルオキシ基が挙げられる。置換基の具体例としては、上記Ｇがさらに置換基を有することが可能な基であるときに挙げたような置換基と同じものが挙げられる。カルバモイルオキシ基の具体例としては、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどが挙げられる。
【００５３】
アルコキシカルボニルオキシ基としては、炭素数２乃至３０の置換又は無置換アルコキシカルボニルオキシ基が挙げられる。置換基の具体例としては、上記Ｇがさらに置換基を有することが可能な基であるときに挙げたような置換基と同じものが挙げられる。前記アルコキシカルボニルオキシ基の具体例としては、メトキシカルボニルオキシ、エトキシカルボニルオキシ、ｔ−ブトキシカルボニルオキシ、及びｎ−オクチルカルボニルオキシなどが挙げられる。
【００５４】
アリールオキシカルボニルオキシ基としては、炭素数７乃至３０の置換又は無置換のアリールオキシカルボニルオキシ基が挙げられる。置換基の具体例としては、上記Ｇがさらに置換基を有することが可能な基であるときに挙げたような置換基と同じものが挙げられる。前記アリールオキシカルボニルオキシ基の具体例としては、フェノキシカルボニルオキシ、ｐ−メトキシフェノキシカルボニルオキシ、及びｐ−ｎ−ヘキサデシルオキシフェノキシカルボニルオキシなどが挙げられる。
【００５５】
アミノ基としては、炭素数１乃至３０の置換又は無置換のアルキルアミノ基、炭素数６乃至３０の置換又は無置換のアリールアミノ基が挙げられる。置換基の具体例としては、上記Ｇがさらに置換基を有することが可能な基であるときに挙げたような置換基と同じものが挙げられる。前記アミノ基の具体例としては、アミノ、メチルアミノ、ジメチルアミノ、アニリノ、Ｎ−メチル−アニリノ、ジフェニルアミノ、ヒドロキシエチルアミノ、カルボキシエチルアミノ、スルフォエチルアミノ、及び３，５−ジカルボキシアニリノなどが挙げられる。
【００５６】
アシルアミノ基としては、ホルミルアミノ基、炭素数１乃至３０の置換又は無置換のアルキルカルボニルアミノ基、炭素数６乃至３０の置換又は無置換のアリールカルボニルアミノ基が挙げられる。置換基の具体例としては、上記Ｇがさらに置換基を有することが可能な基であるときに挙げたような置換基と同じものが挙げられる。前記アシルアミノ基の具体例としては、ホルミルアミノ、アセチルアミノ、ピバロイルアミノ、ラウロイルアミノ、ベンゾイルアミノ、及び３，４，５−トリ−ｎ−オクチルオキシフェニルカルボニルアミノなどが挙げられる。
【００５７】
アミノカルボニルアミノ基としては、炭素数１乃至３０の置換又は無置換のアミノカルボニルアミノ基が挙げられる。置換基の具体例としては、上記Ｇがさらに置換基を有することが可能な基であるときに挙げたような置換基と同じものが挙げられる。前記アミノカルボニルアミノ基の具体例としては、カルバモイルアミノ、Ｎ，Ｎ−ジメチルアミノカルボニルアミノ、Ｎ，Ｎ−ジエチルアミノカルボニルアミノ、及びモルホリノカルボニルアミノなどが挙げられる。
【００５８】
アルコキシカルボニルアミノ基としては、炭素数２乃至３０の置換又は無置換アルコキシカルボニルアミノ基が挙げられる。置換基の具体例としては、上記Ｇがさらに置換基を有することが可能な基であるときに挙げたような置換基と同じものが挙げられる。前記アルコキシカルボニルアミノ基の具体例としては、メトキシカルボニルアミノ、エトキシカルボニルアミノ、ｔ−ブトキシカルボニルアミノ、ｎ−オクタデシルオキシカルボニルアミノ、及びＮ−メチルーメトキシカルボニルアミノなどが挙げられる。
【００５９】
アリールオキシカルボニルアミノ基としては、炭素数７乃至３０の置換又は無置換のアリールオキシカルボニルアミノ基が挙げられる。置換基の具体例としては、上記Ｇがさらに置換基を有することが可能な基であるときに挙げたような置換基と同じものが挙げられる。前記アリールオキシカルボニルアミノ基の具体例としては、フェノキシカルボニルアミノ、ｐ−クロロフェノキシカルボニルアミノ、及びｍ−ｎ−オクチルオキシフェノキシカルボニルアミノなどが挙げられる。
【００６０】
スルファモイルアミノ基としては、炭素数０乃至３０の置換又は無置換のスルファモイルアミノ基が挙げられる。置換基の具体例としては、上記Ｇがさらに置換基を有することが可能な基であるときに挙げたような置換基と同じものが挙げられる。前記スルファモイルアミノ基の具体例としては、スルファモイルアミノ、Ｎ，Ｎ−ジメチルアミノスルホニルアミノ、及びＮ−ｎ−オクチルアミノスルホニルアミノなどが挙げられる。
【００６１】
アルキルスルホニルアミノ基及びアリールスルホニルアミノ基としては、炭素数１乃至３０の置換又は無置換のアルキルスルホニルアミノ基、炭素数６乃至３０の置換又は無置換のアリールスルホニルアミノ基が挙げられる。置換基の具体例としては、上記Ｇがさらに置換基を有することが可能な基であるときに挙げたような置換基と同じものが挙げられる。前記アルキルスルホニルアミノ基の具体例としては、メチルスルホニルアミノ及びブチルスルホニルアミノなどが挙げられる。また、前記アリールスルホニルアミノ基の具体例としては、フェニルスルホニルアミノ、２，３，５−トリクロロフェニルスルホニルアミノ、及びｐ−メチルフェニルスルホニルアミノなどが挙げられる。
【００６２】
アルキルチオ基としては、炭素数１乃至３０の置換又は無置換のアルキルチオ基が挙げられる。置換基の具体例としては、上記Ｇがさらに置換基を有することが可能な基であるときに挙げたような置換基と同じものが挙げられる。前記アルキルチオ基の具体例としては、メチルチオ、エチルチオ、及びｎ−ヘキサデシルチオなどが挙げられる。
【００６３】
アリールチオ基としては、炭素数６乃至３０の置換又は無置換のアリールチオ基が挙げられる。置換基の具体例としては、上記Ｇがさらに置換基を有することが可能な基であるときに挙げたような置換基と同じものが挙げられる。前記アリールチオ基の具体例としては、フェニルチオ、ｐ−クロロフェニルチオ、及びｍ−メトキシフェニルチオなどが挙げられる。
【００６４】
ヘテロ環チオ基としては、炭素数２乃至３０の置換又は無置換のヘテロ環チオ基が挙げられる。置換基の具体例としては、上記Ｇがさらに置換基を有することが可能な基であるときに挙げたような置換基と同じものが挙げられる。前記ヘテロ環チオ基の具体例としては、２−ベンゾチアゾリルチオ、及び１−フェニルテトラゾール−５−イルチオなどが挙げられる。
【００６５】
スルファモイル基としては、炭素数０乃至３０の置換又は無置換のスルファモイル基が挙げられる。置換基の具体例としては、上記Ｇがさらに置換基を有することが可能な基であるときに挙げたような置換基と同じものが挙げられる。前記スルファモイル基の具体例としては、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル。Ｎ−（Ｎ’−フェニルカルバモイル）スルファモイル）などが挙げられる。
【００６６】
アルキルスルフィニル基及びアリールスルフィニル基としては、炭素数１乃至３０の置換又は無置換のアルキルスルフィニル基、６乃至３０の置換又は無置換のアリールスルフィニル基が挙げられる。置換基の具体例としては、上記Ｇがさらに置換基を有することが可能な基であるときに挙げたような置換基と同じものが挙げられる。前記アルキルスルフィニル基及びアリールスルフィニル基の具体例としては、メチルスルフィニル、エチルスルフィニル、フェニルスルフィニル、及びｐ−メチルフェニルスルフィニルなどが挙げられる。
【００６７】
アルキルスルホニル基及びアリールスルホニル基としては、炭素数１乃至３０の置換又は無置換のアルキルスルホニル基、６乃至３０の置換又は無置換のアリールスルホニル基が挙げられる。置換基の具体例としては、上記Ｇがさらに置換基を有することが可能な基であるときに挙げたような置換基と同じものが挙げられる。前記アルキルスルホニル基及びアリールスルホニル基の具体例としては、メチルスルホニル、エチルスルホニル、フェニルスルホニル、及びｐ−トルエンスルホニルなどが挙げられる。
【００６８】
アシル基としては、ホルミル基、炭素数２乃至３０の置換又は無置換のアルキルカルボニル基、炭素数７乃至３０の置換又は無置換のアリールカルボニル基。炭素数４乃至３０の置換又は無置換の、炭素原子でカルボニル基と結合しているヘテロ環カルボニル基が挙げられる。置換基の具体例としては、上記Ｇがさらに置換基を有することが可能な基であるときに挙げたような置換基と同じものが挙げられる。前記アシル基の具体例としては、アセチル、ピバロイル、２−クロロアセチル、ステアロイル、ベンゾイル、ｐ−ｎ−オクチルオキシフェニルカルボニル、２−ピリジルカルボニル、及び２−フリルカルボニルなどが挙げられる。
【００６９】
アリールオキシカルボニル基としては、炭素数７乃至３０の置換又は無置換のアリールオキシカルボニル基が挙げられる。置換基の具体例としては、上記Ｇがさらに置換基を有することが可能な基であるときに挙げたような置換基と同じものが挙げられる。前記アリールオキシカルボニル基の具体例としては、フェノキシカルボニル、ｏ−クロロフェノキシカルボニル、ｍ−ニトロフェノキシカルボニル、及びｐ−ｔ−ブチルフェノキシカルボニルなどが挙げられる。
【００７０】
アルコキシカルボニル基としては、炭素数２乃至３０の置換又は無置換アルコキシカルボニル基が挙げられる。置換基の具体例としては、上記Ｇがさらに置換基を有することが可能な基であるときに挙げたような置換基と同じものが挙げられる。前記アルコキシカルボニル基の具体例としては、メトキシカルボニル、エトキシカルボニル、ｔ−ブトキシカルボニル、及びｎ−オクタデシルオキシカルボニルなどが挙げられる。
【００７１】
カルバモイル基としては、炭素数１乃至３０の置換又は無置換のカルバモイル基が挙げられる。置換基の具体例としては、上記Ｇがさらに置換基を有することが可能な基であるときに挙げたような置換基と同じものが挙げられる。前記カルバモイル基の具体例としては、カルバモイル、Ｎ−メチルカルバモイル、Ｎ，Ｎ−ジメチルカルバモイル、Ｎ，Ｎ−ジ−ｎ−オクチルカルバモイル、及びＮ−（メチルスルホニル）カルバモイルなどが挙げられる。
【００７２】
ホスフィノ基としては、炭素数２乃至３０の置換又は無置換のホスフィノ基が挙げられる。置換基の具体例としては、上記Ｇがさらに置換基を有することが可能な基であるときに挙げたような置換基と同じものが挙げられる。前記ホスフィノ基の具体例としては、ジメチルホスフィノ、ジフェニルホスフィノ、及びメチルフェノキシホスフィノなどが挙げられる。
【００７３】
ホスフィニル基としては、炭素数２乃至３０の置換又は無置換のホスフィニル基が挙げられる。置換基の具体例としては、上記Ｇがさらに置換基を有することが可能な基であるときに挙げたような置換基と同じものが挙げられる。前記ホスフィニル基の具体例としては、ホスフィニル、ジオクチルオキシホスフィニル、及びジエトキシホスフィニルなどが挙げられる。
【００７４】
ホスフィニルオキシ基としては、炭素数２乃至３０の置換又は無置換のホスフィニルオキシ基が挙げられる。置換基の具体例としては、上記Ｇがさらに置換基を有することが可能な基であるときに挙げたような置換基と同じものが挙げられる。前記ホスフィニルオキシ基の具体例としては、ジフェノキシホスフィニルオキシ、及びジオクチルオキシホスフィニルオキシなどが挙げられる。
【００７５】
ホスフィニルアミノ基としては、炭素数２乃至３０の置換又は無置換のホスフィニルアミノ基が挙げられる。置換基の具体例としては、上記Ｇがさらに置換基を有することが可能な基であるときに挙げたような置換基と同じものが挙げられる。前記ホスフィニルアミノ基の具体例としては、ジメトキシホスフィニルアミノ及びジメチルアミノホスフィニルアミノなどが挙げられる。
【００７６】
シリル基としては、炭素数３乃至３０の置換又は無置換のシリル基が挙げられる。置換基の具体例としては、上記Ｇがさらに置換基を有することが可能な基であるときに挙げたような置換基と同じものが挙げられる。前記シリル基の具体例としては、トリメチルシリル、ｔ−ブチルジメチルシリル及びフェニルジメチルシリルなどが挙げられる。
【００７７】
アゾ基としては、例えば、フェニルアゾ、４−メトキシフェニルアゾ、４−ピバロイルアミノフェニルアゾ、及び２−ヒドロキシ−４−プロパノイルフェニルアゾなどが挙げられる。
【００７８】
イミド基としては、例えば、Ｎ−スクシンイミド及びＮ−フタルイミドなどが挙げられる。
【００７９】
一般式（Ｉ）において、Ｑ、Ｒ、Ｘ、Ｙ、及びＺが２価の基である場合、Ｑ、Ｒ、Ｘ、Ｙ、及びＺで表される基としては、アルキレン基（例えば、メチレン、エチレン、プロピレン、ブチレン、ペンチレン）。アルケニレン基（例えば、エテニレン、プロぺニレン）。アルキニレン基（例えば、エチニレン、プロピニレン）。アリーレン基（例えば、フェニレン、ナフチレン）。２価のヘテロ環基（例えば、６−クロロ−１，３，５−トリアジン−２，４−ジイル基、ピリミジン−２，４−ジイル基、ピリミジン−４，６−ジイル基、キノキサリン−２，３−ジイル基、ピリダジン−３，６−ジイル）。−Ｏ−、−ＣＯ−、−ＮＲ’−（Ｒ’は水素原子、アルキル基又はアリール基）、−Ｓ−、−ＳＯ2−、−ＳＯ−。又はこれらの組み合わせ（例えば、−ＮＨＣＨ2ＣＨ2ＮＨ−、−ＮＨＣＯＮＨ−など）であることが好ましい。
【００８０】
上記した基の中でも、アルキレン基、アルケニレン基、アルキニレン基、アリーレン基、２価のヘテロ環基、Ｒ’で表されるアルキル基又はアリール基は、それぞれ、さらに置換基を有していてもよい。この場合の置換基の具体例としては、上記Ｇがさらに置換基を有することが可能な基であるときに挙げたような置換基と同じものが挙げられる。
【００８１】
また、上記Ｒ’で表されるアルキル基及びアリール基の具体例は、上記Ｇの置換基の説明で挙げたアルキル基及びアリール基の具体例と同義である。
【００８２】
特には、上記した基の中でも、炭素数１０以下のアルキレン基、炭素数１０以下のアルケニレン基、炭素数１０以下のアルキニレン基、炭素数６乃至１０のアリーレン基、２価のヘテロ環基、−Ｓ−、−ＳＯ−、−ＳＯ2−。又はこれらの組み合わせ（例えば−ＳＣＨ2ＣＨ2Ｓ−、−ＳＣＨ2ＣＨ2ＣＨ2Ｓ−など）であることがさらに好ましい。
【００８３】
上記した２価の連結基の総炭素数は０乃至５０であることが好ましく、０乃至３０であることがより好ましく、０乃至１０であることが最も好ましい。
【００８４】
一般式（Ｉ）において、Ｑ、Ｒ、Ｘ、Ｙ、及びＺが３価の基である場合、Ｑ、Ｒ、Ｘ、Ｙ、及びＺで表される基としては、３価の炭化水素基、３価のヘテロ環基。＞Ｎ−、又はこれと２価の基の組み合わせ（例えば、＞ＮＣＨ2ＣＨ2ＮＨ−、＞ＮＣＯＮＨ−など）であることが好ましい。
【００８５】
上記した３価の連結基の総炭素数は０乃至５０であることが好ましく、０乃至３０であることがより好ましく、０乃至１０であることが最も好ましい。
【００８６】
一般式（Ｉ）中、ｎは１乃至３の整数であるが、１又は２であることが好ましく、特には２であることが好ましい。
【００８７】
一般式（Ｉ）中、Ｘで表される基の好ましい具体例としては、電子吸引性基が挙げられる。特に、ハメットの置換基定数σｐ値が０．２０以上の電子吸引性基が挙げられる。なお、ハメットの置換基定数σｐ値については後述する。
【００８８】
一般式（Ｉ）中、Ｚで表される基の好ましい例としては、水素原子、置換若しくは無置換のアルキル基、置換若しくは無置換のシクロアルキル基、置換若しくは無置換のアルケニル基、置換若しくは無置換のアルキニル基。置換若しくは無置換のアラルキル基、置換若しくは無置換のアリール基、又は置換若しくは無置換のヘテロ環基が挙げられる。
【００８９】
これらの基の具体例の詳細は、前記Ｇで表されるヘテロ環基の説明で挙げたそれぞれに対応する置換基の具体例と同義であり、好ましい具体例も同じである。
【００９０】
Ｚで表される特に好ましい基は、置換アリール基、又は置換基へテロ環基であり、その中でも特に置換基アリール基が好ましい。
【００９１】
一般式（Ｉ）中、Ｑで表される基の好ましい具体例は、水素原子、置換若しくは無置換のアルキル基、置換若しくは無置換のアシル基、置換若しくは無置換のアルキルスルホニル基、及び置換若しくは無置換のアリールスルホニル基が挙げられる。特に水素原子、置換若しくは無置換のアルキル基、又は置換若しくは無置換のアシル基が好ましく、その中でも特に水素原子が好ましい。
【００９２】
一般式（Ｉ）中、Ｒで表される基の好ましい具体例は、置換若しくは無置換の総炭素数１乃至１２のアルキル基、置換若しくは無置換の総炭素数６乃至１８のアリール基、又は置換若しくは無置換の総炭素数４乃至１２のヘテロ環基が挙げられる。その中でも、総炭素数１乃至８の直鎖アルキル基又は分岐のアルキル基が好ましく、特に２級又は３級アルキル基が好ましく、ｔ−ブチル基が最も好ましい。
【００９３】
一般式（Ｉ）中、Ｙで表される基の好ましい具体例は、水素原子、置換若しくは無置換の総炭素数１乃至１２のアルキル基、置換若しくは無置換の総炭素数６乃至１８のアリール基、又は置換若しくは無置換の総炭素数４乃至１２ヘテロ環基が挙げられる。その中でも、水素原子、総炭素数１乃至８の直鎖アルキル基及び又は分岐のアルキル基が好ましく、特に水素原子、又は１乃至８のアルキル基が好ましく、水素原子が最も好ましい。
【００９４】
また、本発明者らの検討によれば、第１の色材として用いる一般式（Ｉ）の化合物の中でも、２量体構造を有する後述の一般式（III）の化合物が、形成した画像の耐光性に優れていることが明らかとなった。さらに、後述の一般式（IV）の化合物は、一般式（Ｉ）の化合物又は一般式（III）の化合物の中でも、形成した画像の耐光性がさらに優れていることが明らかとなった。その上、一般式（IV）の化合物は、分子内にカルボキシル基を有しているため、インクを付与した際、記録媒体中において、第２の色材より上部に定着する傾向がより高くなり、その結果として、記録物の耐光性がさらに良化することが明らかとなった。
【００９５】
以下に、本発明において、第１の色材として好ましく用いることができる一般式（III）の化合物及び一般式（IV）の化合物についてさらに詳しく説明する。
2010100719.tif 000011
（一般式（III）中、Ｒ1、Ｒ2、Ｙ1及びＹ2はそれぞれ独立に、１価の基である。Ｘ1及びＸ2はそれぞれ独立に、ハメットのσｐ値が０．２０以上の電子吸引性基である。Ｚ1及びＺ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基。又は置換若しくは無置換のヘテロ環基である。Ｍは、水素原子、アルカリ金属、アンモニウム、又は有機アンモニウムである。）
【００９６】
2010100719.tif 000012
（一般式（IV）中、Ｘ1及びＸ2はそれぞれ独立に、ハメットのσｐ値が０．２０以上の電子吸引性基である。Ｙ1及びＹ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基。又は置換若しくは無置換のヘテロ環基である。Ｍはそれぞれ独立に、水素原子、アルカリ金属、アンモニウム、又は有機アンモニウムである。）
【００９７】
一般式（III）におけるＲ1、Ｒ2、Ｙ1及びＹ2は、それぞれ独立に１価の基であり、具体的には以下の基とすることができる。水素原子、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基。カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基。アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基。アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、及びイミド基が挙げられる。これらの基はさらに置換基を有してもよい。
【００９８】
上記した中でも、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基。アリールスルホニル基、カルバモイル基、及びアルコキシカルボニル基が好ましい。その中でも特に、水素原子、ハロゲン原子、アルキル基、アリール基、シアノ基、アルキルスルホニル基、アリールスルホニル基、及びヘテロ環基がより好ましく、水素原子、アルキル基、アリール基、シアノ基、及びアルキルスルホニル基が特に好ましい。また、一般式（IV）におけるＹ1及びＹ2は、水素原子、アルキル基、アリール基、ヘテロ環基が好ましく、水素原子、アルキル基、アリール基が特に好ましい。
【００９９】
以下に、一般式（III）におけるＲ1、Ｒ2、Ｙ1及びＹ2、並びに、一般式（IV）におけるＹ1及びＹ2についてさらに詳しく説明する。ハロゲン原子は、塩素原子、臭素原子、及びヨウ素原子などが挙げられ、中でも、塩素原子又は臭素原子が好ましく、特には塩素原子が好ましい。
【０１００】
アルキル基としては、炭素数が１乃至３０の置換又は無置換のアルキル基が挙げられる。具体的には、メチル、エチル、ブチル、ｔ−ブチル、ｎ−オクチル、エイコシル、２−クロロエチル、ヒドロキシエチル、シアノエチル、及び４−スルホブチルなどが挙げられる。
【０１０１】
シクロアルキル基としては、炭素数が５乃至３０の置換又は無置換のシクロアルキル基が挙げられる。具体的には、シクロヘキシル、シクロペンチル、及び４−ｎ−ドデシルシクロヘキシルなどが挙げられる。
【０１０２】
アラルキル基としては、炭素数が７乃至３０の置換又は無置換のアラルキル基が挙げられる。具体的には、ベンジル及び２−フェネチルなどが挙げられる。
【０１０３】
アルケニル基としては、炭素数が２乃至３０の置換又は無置換のアルケニル基が挙げられる。具体的には、ビニル、アリル、プレニル、ゲラニル、オレイル、２−シクロペンテン−１−イル、及び２−シクロヘキセン−１−イルなどが挙げられる。
【０１０４】
アルキニル基としては、炭素数２乃至３０の置換又は無置換のアルキニル基が挙げられる。具体的には、エチニル及びプロパルギルなどが挙げられる。
【０１０５】
アリール基としては、炭素数６乃至３０の置換又は無置換のアリール基が挙げられる。具体的には、フェニル、ｐ−トリル、ナフチル、ｍ−クロロフェニル、及びｏ−ヘキサデカノイルアミノフェニルなどが挙げられる。
【０１０６】
ヘテロ環基としては、５員環又は６員環であり、置換又は無置換の、芳香族又は非芳香族のヘテロ環化合物から１個の水素原子を取り除いた１価の基が挙げられ、これらはさらに縮環していてもよい。中でも、炭素数３乃至５０の５員環又は６員環である芳香族のヘテロ環基であることが好ましい。へテロ環基は、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン。ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール。ピロリジン、ピペリジン、ピペラジン、イミダゾリジン、及びチアゾリンなどが挙げられる。
【０１０７】
アルコキシ基としては、炭素数が１乃至３０の置換又は無置換のアルコキシ基が挙げられる。具体的には、メトキシ、エトキシ、イソプロポキシ、ｎ−オクチルオキシ、メトキシエトキシ、ヒドロキシエトキシ、及び３−カルボキシプロポキシなどが挙げられる。
【０１０８】
アリールオキシ基としては、炭素数６乃至３０の置換又は無置換のアリールオキシ基が挙げられる。具体的には、フェノキシ、２−メチルフェノキシ、４−ｔ−ブチルフェノキシ、３−ニトロフェノキシ、及び２−テトラデカノイルアミノフェノキシなどが挙げられる。
【０１０９】
シリルオキシ基としては、炭素数３乃至２０のシリルオキシ基が挙げられる。具体的には、トリメチルシリルオキシ、及びｔ−ブチルジメチルシリルオキシなどが挙げられる。
【０１１０】
ヘテロ環オキシ基としては、炭素数２乃至３０の置換又は無置換のヘテロ環オキシ基が挙げられる。具体的には、１−フェニルテトラゾール−５−オキシ、及び２−テトラヒドロピラニルオキシなどが挙げられる。
【０１１１】
アシルオキシ基としては、ホルミルオキシ基、炭素数２乃至３０の置換又は無置換のアルキルカルボニルオキシ基、及び炭素数６乃至３０の置換又は無置換のアリールカルボニルオキシ基が挙げられる。具体的には、ホルミルオキシ、アセチルオキシ、ピバロイルオキシ、ステアロイルオキシ、ベンゾイルオキシ、及びｐ−メトキシフェニルカルボニルオキシなどが挙げられる。
【０１１２】
カルバモイルオキシ基としては、炭素数１乃至３０の置換又は無置換のカルバモイルオキシ基が挙げられる。具体的には、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどが挙げられる。
【０１１３】
アルコキシカルボニルオキシ基としては、炭素数２乃至３０の置換又は無置換アルコキシカルボニルオキシ基が挙げられる。具体的には、メトキシカルボニルオキシ、エトキシカルボニルオキシ、ｔ−ブトキシカルボニルオキシ、及びｎ−オクチルカルボニルオキシなどが挙げられる。
【０１１４】
アリールオキシカルボニルオキシ基としては、炭素数７乃至３０の置換又は無置換のアリールオキシカルボニルオキシ基が挙げられる。具体的には、フェノキシカルボニルオキシ、ｐ−メトキシフェノキシカルボニルオキシ、及びｐ−ｎ−ヘキサデシルオキシフェノキシカルボニルオキシなどが挙げられる。
【０１１５】
アミノ基としては、炭素数１乃至３０の置換又は無置換のアルキルアミノ基、及び炭素数６乃至３０の置換又は無置換のアリールアミノ基が挙げられる。具体的には、アミノ、メチルアミノ、ジメチルアミノ、アニリノ、Ｎ−メチル−アニリノ、ジフェニルアミノ、ヒドロキシエチルアミノ、カルボキシエチルアミノ、スルフォエチルアミノ、及び３，５−ジカルボキシアニリノなどが挙げられる。
【０１１６】
アシルアミノ基としては、ホルミルアミノ基、炭素数１乃至３０の置換又は無置換のアルキルカルボニルアミノ基、及び炭素数６乃至３０の置換又は無置換のアリールカルボニルアミノ基が挙げられる。具体的には、ホルミルアミノ、アセチルアミノ、ピバロイルアミノ、ラウロイルアミノ、ベンゾイルアミノ、及び３，４，５−トリ−ｎ−オクチルオキシフェニルカルボニルアミノなどが挙げられる。
【０１１７】
アミノカルボニルアミノ基としては、炭素数１乃至３０の置換又は無置換のアミノカルボニルアミノ基が挙げられる。具体的には、カルバモイルアミノ、Ｎ，Ｎ−ジメチルアミノカルボニルアミノ、Ｎ，Ｎ−ジエチルアミノカルボニルアミノ、モルホリノカルボニルアミノなどが挙げられる。
【０１１８】
アルコキシカルボニルアミノ基としては、炭素数２乃至３０の置換又は無置換のアルコキシカルボニルアミノ基が挙げられる。具体的には、メトキシカルボニルアミノ、エトキシカルボニルアミノ、ｔ−ブトキシカルボニルアミノ、ｎ−オクタデシルオキシカルボニルアミノ、及びＮ−メチル−メトキシカルボニルアミノなどが挙げられる。
【０１１９】
アリールオキシカルボニルアミノ基としては、炭素数７乃至３０の置換又は無置換のアリールオキシカルボニルアミノ基が挙げられる。具体的には、フェノキシカルボニルアミノ、ｐ−クロロフェノキシカルボニルアミノ、及びｍ−ｎ−オクチルオキシフェノキシカルボニルアミノなどが挙げられる。
【０１２０】
スルファモイルアミノ基としては、炭素数０乃至３０の置換又は無置換のスルファモイルアミノ基が挙げられる。具体的には、スルファモイルアミノ、Ｎ，Ｎ−ジメチルアミノスルホニルアミノ、及びＮ−ｎ−オクチルアミノスルホニルアミノなどが挙げられる。
【０１２１】
アルキルスルホニルアミノ基及びアリールスルホニルアミノ基としては、炭素数１乃至３０の置換又は無置換のアルキルスルホニルアミノ基、炭素数６乃至３０の置換又は無置換のアリールスルホニルアミノ基が挙げられる。具体的には、メチルスルホニルアミノ、ブチルスルホニルアミノ、フェニルスルホニルアミノ、２，３，５−トリクロロフェニルスルホニルアミノ、及びｐ−メチルフェニルスルホニルアミノなどが挙げられる。
【０１２２】
アルキルチオ基としては、炭素数１乃至３０の置換又は無置換のアルキルチオ基が挙げられる。具体的には、メチルチオ、エチルチオ、及びｎ−ヘキサデシルチオなどが挙げられる。
【０１２３】
アリールチオ基としては、炭素数６乃至３０の置換又は無置換のアリールチオ基が挙げられる。具体的には、フェニルチオ、ｐ−クロロフェニルチオ、及びｍ−メトキシフェニルチオなどが挙げられる。
【０１２４】
ヘテロ環チオ基としては、炭素数２乃至３０の置換又は無置換のヘテロ環チオ基が挙げられる。具体的には、２−ベンゾチアゾリルチオ、及び１−フェニルテトラゾール−５−イルチオなどが挙げられる。
【０１２５】
スルファモイル基としては、炭素数０乃至３０の置換又は無置換のスルファモイル基が挙げられる。具体的には、Ｎ−エチルスルファモイル、Ｎ−（３−ドデシルオキシプロピル）スルファモイル、Ｎ，Ｎ−ジメチルスルファモイル、Ｎ−アセチルスルファモイル。Ｎ−ベンゾイルスルファモイル、Ｎ−（Ｎ’−フェニルカルバモイル）スルファモイルなどが挙げられる。
【０１２６】
アルキルスルフィニル基及びアリールスルフィニル基としては、炭素数１乃至３０の置換又は無置換のアルキルスルフィニル基、及び炭素数が６乃至３０のアリールスルフィニル基が挙げられる。具体的には、メチルスルフィニル、エチルスルフィニル、フェニルスルフィニル、及びｐ−メチルフェニルスルフィニルなどが挙げられる。
【０１２７】
アルキルスルホニル基及びアリールスルホニル基としては、炭素数１乃至３０の置換又は無置換のアルキルスルホニル基、及び炭素数が６乃至３０のアリールスルホニル基が挙げられる。具体的には、メチルスルホニル、エチルスルホニル、フェニルスルホニル、及びｐ−トルエンスルホニルなどが挙げられる。
【０１２８】
アシル基としては、ホルミル基、炭素数２乃至３０の置換又は無置換のアルキルカルボニル基、炭素数７乃至３０の置換又は無置換のアリールカルボニル基。炭素数４乃至３０の置換又は無置換の炭素原子でカルボニル基と結合しているヘテロ環カルボニル基が挙げられる。具体的には、アセチル、ピバロイル、２−クロロアセチル、ステアロイル、ベンゾイル、ｐ−ｎ−オクチルオキシフェニルカルボニル、２−ピリジルカルボニル、及び２−フリルカルボニルなどが挙げられる。
【０１２９】
アリールオキシカルボニル基としては、炭素数７乃至３０の置換又は無置換のアリールオキシカルボニル基が挙げられる。具体的には、フェノキシカルボニル、ｏ−クロロフェノキシカルボニル、ｍ−ニトロフェノキシカルボニル、及びｐ−ｔ−ブチルフェノキシカルボニルなどが挙げられる。
【０１３０】
アルコキシカルボニル基としては、炭素数２乃至３０の置換又は無置換のアルコキシカルボニル基が挙げられる。具体的には、メトキシカルボニル、エトキシカルボニル、ｔ−ブトキシカルボニル、及びｎ−オクタデシルオキシカルボニルなどが挙げられる。
【０１３１】
カルバモイル基としては、炭素数１乃至３０の置換又は無置換のカルバモイル基が挙げられる。具体的には、カルバモイル、Ｎ−メチルカルバモイル、Ｎ，Ｎ−ジメチルカルバモイル、Ｎ，Ｎ−ジ−ｎ−オクチルカルバモイル、及びＮ−（メチルスルホニル）カルバモイルなどが挙げられる。
【０１３２】
ホスフィノ基としては、炭素数２乃至３０の置換又は無置換のホスフィノ基が挙げられる。具体的には、ジメチルホスフィノ、ジフェニルホスフィノ、及びメチルフェノキシホスフィノなどが挙げられる。
【０１３３】
ホスフィニル基としては、炭素数２乃至３０の置換又は無置換のホスフィニル基が挙げられる。具体的には、ホスフィニル、ジオクチルオキシホスフィニル、及びジエトキシホスフィニルなどが挙げられる。
【０１３４】
ホスフィニルオキシ基としては、炭素数２乃至３０の置換又は無置換のホスフィニルオキシ基が挙げられる。具体的には、ジフェノキシホスフィニルオキシ、及びジオクチルオキシホスフィニルオキシなどが挙げられる。
【０１３５】
ホスフィニルアミノ基としては、炭素数２乃至３０の置換又は無置換のホスフィニルアミノ基が挙げられる。具体的には、ジメトキシホスフィニルアミノ、及びジメチルアミノホスフィニルアミノなどが挙げられる。
【０１３６】
シリル基は、炭素数３乃至３０の置換又は無置換のシリル基が挙げられる。具体的には、トリメチルシリル、ｔ−ブチルジメチルシリル、及びフェニルジメチルシリルなどが挙げられる。
【０１３７】
アゾ基としては、具体的には、フェニルアゾ、４−メトキシフェニルアゾ、４−ピバロイルアミノフェニルアゾ、及び２−ヒドロキシ−４−プロパノイルフェニルアゾなどが挙げられる。
【０１３８】
イミド基としては、具体的には、Ｎ−スクシンイミド、及びＮ−フタルイミドなどが挙げられる。
【０１３９】
これらの基はさらに置換基を有していてもよい。この場合の置換基は、炭素数１乃至１２の直鎖又は分岐鎖アルキル基。炭素数７乃至１８の直鎖又は分岐鎖アラルキル基。炭素数２乃至１２の直鎖又は分岐鎖アルケニル基。炭素数２乃至１２の直鎖又は分岐鎖アラルニル基。炭素数３乃至１２の直鎖又は分岐鎖シクロアルキル基。炭素数３乃至１２の直鎖又は分岐鎖シクロアルケニル基が挙げられる。これらの置換基は、染料の溶解性やインクの安定性を優れたものとするために、分岐鎖を有するものがより好ましく、さらには不斉炭素を有するものが特に好ましい。
【０１４０】
これらの置換基の具体例としては、以下のものが挙げられる。メチル、エチル、プロピル、イソプロピル、ｓｅｃ−ブチル、ｔ−ブチル、２−エチルヘキシル、２−メチルスルホニルエチル、３−フェノキシプロピル、トリフルオロメチル、及びシクロペンチルなどの置換又は無置換のアルキル基。塩素原子、及び臭素原子などのハロゲン原子。フェニル、４−ｔ−ブチルフェニル、及び２，４−ジ−ｔ−アミルフェニルなどのアリール基。イミダゾリル、ピラゾリル、トリアゾリル、２−フリル、２−チエニル、２−ピリミジニル、及び２−ベンゾチアゾリルなどのヘテロ環基。シアノ基。ヒドロキシル基。ニトロ基。カルボキシル基。アミノ基。メトキシ、エトキシ、２−メトキシエトキシ、及び２−メチルスルホニルエトキシなどのアルコキシ基。フェノキシ、２−メチルフェノキシ、４−ｔ−ブチルフェノキシ、３−ニトロフェノキシ、３−ｔ−ブチルオキシカルボニルフェノキシ、及び３−メトキシカルボニルフェニルオキシなどのアリールオキシ基。アセトアミド、ベンズアミド、及び４−（３−ｔ−ブチル−４−ヒドロキシフェノキシ）ブタンアミドなどのアシルアミノ基。メチルアミノ、ブチルアミノ、ジエチルアミノ、及びメチルブチルアミノなどのアルキルアミノ基。フェニルアミノ、及び２−クロロアニリノなどのアニリノ基。フェニルウレイド、メチルウレイド、及びＮ，Ｎ−ジブチルウレイドなどのウレイド基。Ｎ，Ｎ−ジプロピルスルファモイルアミノなどのスルファモイルアミノ基。メチルチオ、オクチルチオ、及び２−フェノキシエチルチオなどのアルキルチオ基。フェニルチオ、２−ブトキシ−５−ｔ−オクチルフェニルチオ、及び２−カルボキシフェニルチオなどのアリールチオ基。メトキシカルボニルアミノなどのアルコキシカルボニルアミノ基。メチルスルホニルアミノ、フェニルスルホニルアミノ、及びｐ−トルエンスルホニルアミノなどのアルキル又はアリールスルホニルアミノ基。Ｎ−エチルカルバモイル、及びＮ，Ｎ−ジブチルカルバモイルなどのカルバモイル基。Ｎ−エチルスルファモイル、Ｎ，Ｎ−ジプロピルスルファモイル、及びＮ−フェニルスルファモイルなどのスルファモイル基。メチルスルホニル、オクチルスルホニル、フェニルスルホニル、及びｐ−トルエンスルホニルなどのスルホニル基。メトキシカルボニル、及びブチルオキシカルボニルなどのアルコキシカルボニル基。１−フェニルテトラゾール−５−オキシ、及び２−テトラヒドロピラニルオキシなどのヘテロ環オキシ基。フェニルアゾ、４−メトキシフェニルアゾ、４−ピバロイルアミノフェニルアゾ、及び２−ヒドロキシ−４−プロパノイルフェニルアゾなどのアゾ基。アセトキシなどのアシルオキシ基。Ｎ−メチルカルバモイルオキシ、及びＮ−フェニルカルバモイルオキシなどのカルバモイルオキシ基。トリメチルシリルオキシ、及びジブチルメチルシリルオキシなどのシリルオキシ基。フェノキシカルボニルアミノなどのアリールオキシカルボニルアミノ基。Ｎ−スクシンイミド、及びＮ−フタルイミドなどのイミド基。２−ベンゾチアゾリルチオ、２，４−ジ−フェノキシ−１，３，５−トリアゾール−６−チオ、及び２−ピリジルチオなどのヘテロ環チオ基。３−フェノキシプロピルスルフィニルなどのスルフィニル基。フェノキシホスホニル、オクチルオキシホスホニル、及びフェニルホスホニルなどのホスホニル基。フェノキシカルボニルなどのアリールオキシカルボニル基。アセチル、３−フェニルプロパノイル、及びベンゾイルなどのアシル基。カルボキシル基、スルホン酸基、ホスホノ基、及び４級アンモニウム基などのイオン性親水基が挙げられる。
【０１４１】
一般式（III）及び一般式（IV）におけるＸ1及びＸ2は、ハメットのσｐ値が０．２０以上の電子吸引性基である。なお、ハメットの置換基定数σｐ値については後述する。
【０１４２】
一般式（III）におけるＺ1及びＺ2はそれぞれ独立に、以下に挙げる置換基のいずれかである。すなわち、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基のいずれかである。より詳しく説明すると、前記アルキル基としては、先にＲ1、Ｒ2、Ｙ1及びＹ2の説明で挙げたアルキル基と同じものが挙げられる。前記アルケニル基は、先にＲ1、Ｒ2、Ｙ1及びＹ2の説明で挙げたアルケニル基と同じものが挙げられる。前記アルキニル基は、先にＲ1、Ｒ2、Ｙ1、及びＹ2の説明で挙げたアルキニル基と同じものが挙げられる。前記アラルキル基は、先にＲ1、Ｒ2、Ｙ1及びＹ2の説明で挙げたアラルキル基と同じものが挙げられる。前記アリール基は、先にＲ1、Ｒ2、Ｙ1及びＹ2の説明で挙げたアリール基と同じものが挙げられる。前記へテロ環基は、先にＲ1、Ｒ2、Ｙ1及びＹ2の説明で挙げたヘテロ環基と同じものが挙げられる。また、これらの基はさらに置換基を有していてもよく、この場合の置換基は、先にＲ1、Ｒ2、Ｙ1及びＹ2で表される基がさらに置換基を有する場合に挙げた置換基と、同じものが挙げられる。
【０１４３】
ここで、ハメット則、及びハメットの置換基定数σｐ値（「ハメットのσｐ値」と呼ぶことがある）について説明する。ハメット則は、ベンゼン誘導体の反応や平衡に及ぼす置換基の影響を定量的に論ずるために、１９３５年にＬ．Ｐ．Ｈａｍｍｅｔｔにより提唱された経験則であり、今日では広く妥当性が認められている。ハメット則により求められる置換基定数にはσｐ値とσｍ値があり、これらの値は多くの一般的な成書に記載がある。例えば、Ｊ．Ａ．Ｄｅａｎ編、Ｌａｎｇｅ≡ｓ  Ｈａｎｄｂｏｏｋ  ｏｆ  Ｃｈｅｍｉｓｔｒｙ  第１２版、１９７９年、McGraw-Hillや、化学の領域、増刊、１２２号、９６〜１０３頁、１９７９年、南光堂に詳細な記載がある。
【０１４４】
なお、本発明においては、一般式（III）及び一般式（IV）におけるＸ1及びＸ2をハメットのσｐ値により規定している。しかし、本発明では、上記したような文献に具体的にσｐ値が記載された置換基のみに限定されるものではない。本発明は、上記したような文献にσｐ値が記載されていない置換基であっても、ハメット則に基づいてσｐ値を算出した場合に、その範囲内に含まれるであろう置換基をも含むことはいうまでもない。なお、一般式（Ｉ）の化合物、一般式（III）の化合物、及び一般式（IV）の化合物は、いずれもベンゼン誘導体ではないが、本発明においては、置換基の電子効果を示す尺度として、置換位置に関係なくσｐ値を用いるものとする。以下に、一般式（Ｉ）の化合物、一般式（III）の化合物、及び一般式（IV）の化合物の有する置換基において、ハメットのσｐ値が０．２０以上の電子吸引性基として用いることができる置換基の具体例を、ハメットのσｐ値の範囲毎に列挙する。
【０１４５】
ハメットのσｐ値が０．６０以上の電子吸引性基としては、以下のものが挙げられる。
シアノ基、ニトロ基、アルキルスルホニル基（例えば、メタンスルホニル基、ベンゼンスルホニル基などのアリールスルホニル基）。
【０１４６】
ハメットのσｐ値が０．４５以上の電子吸引性基としては、上記に加えて、以下のものが挙げられる。
アシル基（例えば、アセチル基）、アルコキシカルボニル基（例えば、ドデシルオキシカルボニル基）、アリールオキシカルボニル基（例えば、ｍ−クロロフェノキシカルボニル基）。アルキルスルフィニル基（例えば、ｎ−プロピルスルフィニル基）、アリールスルフィニル基（例えば、フェニルスルフィニル基）。スルファモイル基（例えば、Ｎ−エチルスルファモイル基、Ｎ，Ｎ−ジメチルスルファモイル基）、ハロゲン化アルキル基（例えば、トリフロロメチル基）。
【０１４７】
ハメットのσｐ値が０．３０以上の電子吸引性基としては、上記に加えて、以下のものが挙げられる。
アシルオキシ基（例えば、アセトキシ基）、カルバモイル基（例えば、Ｎ−エチルカルバモイル基、Ｎ，Ｎ−ジブチルカルバモイル基）。ハロゲン化アルコキシ基（例えば、トリフロロメチルオキシ基）、ハロゲン化アリールオキシ基（例えば、ペンタフロロフェニルオキシ基）。スルホニルオキシ基（例えば、メチルスルホニルオキシ基）、ハロゲン化アルキルチオ基（例えば、ジフロロメチルチオ基）。２つ以上のσｐ値が０．１５以上の電子吸引性基で置換されたアリール基（例えば、２，４−ジニトロフェニル基、ペンタクロロフェニル基）。複素環（例えば、２−ベンゾオキサゾリル基、２−ベンゾチアゾリル基、１−フェニル−２−ベンズイミダゾリル基）。
【０１４８】
ハメットのσｐ値が０．２０以上の電子吸引性基は、上記に加えて、ハロゲン原子（例えば、フッ素、塩素、臭素）などが挙げられる。
【０１４９】
一般式（III）及び一般式（IV）におけるＭは、それぞれ独立に、水素原子、アルカリ金属、アンモニウム、又は有機アンモニウムである。前記アルカリ金属としては、例えば、リチウム、ナトリウム、及びカリウムなどが挙げられる。前記有機アンモニウムとしては、例えば、アセトアミド、ベンズアミド、メチルアミノ、ブチルアミノ、ジエチルアミノ、及びフェニルアミノなどが挙げられる。
【０１５０】
前記一般式（Ｉ）の化合物、一般式（III）の化合物又は一般式（IV）の化合物の好ましい具体例としては、下記の例示化合物１〜２６が挙げられる。なお、下記の例示化合物は、遊離酸の形で記載する。勿論、本発明は、前記一般式（Ｉ）、一般式（III）、又は一般式（IV）の構造及びその定義に包含されるものであれば、下記の例示化合物に限られるものではない。本発明においては、下記の例示化合物の中でも、特に、例示化合物５、６、７、８、及び１０から選ばれる少なくとも１種を用いることが好ましい。
【０１５１】
2010100719.tif 000013
【０１５２】
2010100719.tif 000014
【０１５３】
2010100719.tif 000015
【０１５４】
2010100719.tif 000016
【０１５５】
2010100719.tif 000017
【０１５６】
2010100719.tif 000018
【０１５７】
2010100719.tif 000019
【０１５８】
2010100719.tif 000020
【０１５９】
2010100719.tif 000021
【０１６０】
〔第２の色材〕
本発明のインクは、第１の色材として使用する、上記で説明した前記一般式（Ｉ）の化合物に加えて、前記一般式（Ｉ）の化合物を含有するインクの色調を整えるために、第２の色材として、下記一般式（II）の化合物を併用する。本発明においては、第２の色材として、一般式（II）の化合物の中でも、発色性、耐光性のより優れる下記一般式（Ｖ）の化合物を用いることが好ましい。以下、これらの一般式の化合物について説明する。
下記一般式（II）の化合物及び下記一般式（Ｖ）の化合物は、前記一般式（Ｉ）の化合物、前記一般式（III）の化合物、又は一般式（IV）の化合物と組み合わせて用いることで、好ましいイエローの色調を有するインクとすることができる。
【０１６１】
2010100719.tif 000022
（一般式（II）中、ｎ及びｍはそれぞれ独立に２乃至６の整数である。Ｒは水素原子又は炭素数１乃至６の脂肪族基である。Ｍはそれぞれ独立に、水素原子、金属原子、アンモニウム、或いは炭素数１乃至１２のアルキル基、アルコキシアルキル基又はヒドロキシアルキル基で置換されたアンモニウムである。Ｆはモノアゾ又はポリアゾ残基である。）
【０１６２】
2010100719.tif 000023
（一般式（Ｖ）中、ｎ及びｍはそれぞれ独立に２乃至６の整数である。Ｒは水素原子又は炭素数１乃至６の脂肪族基である。Ｒ1及びＲ2はそれぞれ独立に、水素原子、又は炭素数１乃至３のアルキル基、アルコキシ基、若しくはアシルアミノ基である。Ｄ1は、フェニル基であるか、アルキル基、アルコキシ基、クロロ基、ブロモ基、カルボキシル基、スルホン酸基からなる群から選ばれる置換基を１個若しくは２個もつフェニル基であるか。又は非置換ナフチル基及びスルホン酸基からなる群から選ばれる置換基を１個若しくは２個もつナフチル基であり、［Ｂ］は下記式（Ａ）で表される基又は下記式（Ｂ）で表される基である。
2010100719.tif 000024
（式（Ｂ）中、Ｒ3及びＲ4はそれぞれ独立に、水素原子、炭素数１乃至４のアルキル基、炭素数１乃至４のアルコキシ基、クロロ基、ブロモ基、カルボキシル基、又はスルホン酸基である。）
【０１６３】
前記一般式（II）の化合物又は前記一般式（5）の化合物の好ましい具体例は、下記の例示化合物１００〜１２７が挙げられる。なお、下記の例示化合物は遊離酸の形で記載する。勿論、本発明において、前記一般式（II）の化合物又は前記一般式（5）の化合物の構造及びその定義に包含されるものであれば、下記の例示化合物に限られるものではない。本発明においては、下記の例示化合物の中でも、例示化合物１００及び１２７の少なくとも１種を用いることが特に好ましい。なお、下記の例示化合物におけるＭは、それぞれ独立に、水素原子、金属原子、アンモニウム、或いは炭素数１乃至１２のアルキル基、アルコキシアルキル基又はヒドロキシアルキル基で置換されたアンモニウムである。
【０１６４】
2010100719.tif 000025
【０１６５】
2010100719.tif 000026
【０１６６】
2010100719.tif 000027
【０１６７】
2010100719.tif 000028
【０１６８】
2010100719.tif 000029
【０１６９】
2010100719.tif 000030
【０１７０】
2010100719.tif 000031
【０１７１】
2010100719.tif 000032
【０１７２】
2010100719.tif 000033
【０１７３】
〔色材の含有量〕
本発明において、インク中における第１の色材（一般式（Ｉ）、一般式（III）、又は一般式（IV）の化合物）の含有量（質量％）は、インク全質量を基準として、０．１質量％以上１０．０質量％以下であることが好ましい。また、インク中における第２における色材（一般式（II）又は一般式（Ｖ）の化合物）の含有量（質量％）は、インク全質量を基準として、０．１質量％以上１０．０質量％以下であることが好ましい。
【０１７４】
また、本発明においては、インク中における、第１の色材の含有量と第２の色材の含有量の合計（質量％）が、インク全質量を基準として、１．０質量％以上１０．０質量％以下であることが好ましい。さらには、これらの含有量の合計（質量％）が、１．５質量％以上６．０質量％以下であることが特に好ましい。これらの含有量の合計が１．０質量％未満であると、画像の耐光性及び発色性が十分に得られない場合があり、これらの含有量の合計が１０．０質量％を超えると、耐固着性などのインクジェット特性が得られない場合がある。
【０１７５】
本発明の効果である画像における色調の改善は、第１の色材と第２の色材を混合させることにより効果を発揮するが、本発明においては、これらの色材のインク中における含有量比を以下のようにすることが好ましい。すなわち、第１の色材のインク中における含有量（質量％）は、第２の色材のインク中における含有量（質量％）に対して、質量比率で、２０．０以下であることが好ましい。すなわち、（第１の色材／第２の色材）＝２０．０以下、より具体的には、（一般式（Ｉ）、一般式（III）、又は一般式（IV）の化合物の含有量／一般式（II）又は一般式（Ｖ）の化合物の含有量）＝２０．０以下であることが好ましい。また、より良好な色調が画像を得るには、（第１の色材／第２の色材）＝８．０以下であることがより好ましい。
【０１７６】
また、本発明において、形成される画像の耐光性を、第１の色材のみを含有するインクで形成される画像の耐光性と同程度に、より高いレベルで維持するためには、これらの色材のインク中における含有量比を以下のようにすることが好ましい。すなわち、第１の色材のインク中における含有量（質量％）は、第２の色材のインク中における含有量（質量％）に対して、質量比率で、０．７以上であることが好ましい。すなわち、（第１の色材／第２の色材）＝０．７以上、より具体的には、（一般式（Ｉ）、一般式（III）、又は一般式（IV）の化合物の含有量／一般式（II）又は一般式（Ｖ）の化合物の含有量）＝０．７以上であることが好ましい。また、より良好な画像の耐光性を得るには、（第１の色材／第２の色材）＝１．０以上であることがより好ましい。
【０１７７】
前記した第１の色材と第２の色材とを上記した特定の質量比率で用いることで、第１の色材のみを含有するインクが本来有する画像の耐光性をより良好に維持できる理由は明確には明らかではないが、本発明者らは以下のように推測している。前記で説明した通り、前記した第１の色材と、前記した第２の色材とを併用する本発明のインクを記録媒体に付与して画像を形成すると、第１の色材が第２の色材に対して相対的に記録媒体の上部に定着する傾向にある。したがって、本発明において、耐光性が相対的に低い第２の色材の含有量に対する第１の色材の含有量の質量比率が上記範囲を満足すると、第１の色材による第２の色材の保護が最適化される。その結果、第１の色材が本来有する優れた耐光性がより発揮されるようになると推測している。
【０１７８】
上記の知見により、本発明おいて、画像における色調の改善と高い耐光性を特に効果的に得ることができる、第１の色材のインク中における含有量（質量％）は、第２の色材のインク中における含有量（質量％）に対して質量比率で１．０以上８．０以下である。すなわち、本発明においては、（第１の色材／第２の色材）＝１．０以上８．０以下であることがより好ましい。より具体的には、（一般式（Ｉ）、一般式（III）、又は一般式（IV）の化合物の含有量／一般式（II）又は一般式（Ｖ）の化合物の含有量）＝１．０以上８．０以下であることがより好ましい。
【０１７９】
（色調）
なお、本発明のインクジェット用インクがイエローインクである場合、イエローインクとして好ましい色調とは、以下の２つのことを意味する。すなわち、イエローインクのみを用いて形成した画像が赤味や緑味を帯びていないことを意味する。さらに、これに加えて、イエローインクを用いて形成する２次色の画像、つまりレッド領域やグリーン領域の画像を形成する際に、レッド領域及びグリーン領域の色域をいずれも大きく損失することがない色調を有することを意味する。より具体的には、イエローインクのみを用いて形成した画像の色相角が、８５．５°以上９１．０°以下、さらには８８．０°以上９０．５°以下であることが好ましい。
【０１８０】
（インクのｐＨ）
本発明のインクは、ｐＨが７．０以上１０．０以下であることが好ましい。インクのｐＨが１０．０を超えると、インクカートリッジやインクジェット記録装置のインクと接触する部材において、その構成する材料の種類によって、以下の問題が起こる場合があるためである。すなわち、これらの部材の材料中の不純物がインク中に溶出して、インクの性能が低下する場合がある。また、インクと接触する部材を構成する材料が劣化する場合がある。さらに、長期間連続して記録を行う際に、記録ヘッドの発熱部接液面の劣化（溶解）や、配線の断線が起きる場合がある。一方、インクのｐＨが７．０未満であると、一般式（Ｉ）の化合物、一般式（III）又は一般式（IV）の化合物の溶解性が低下するため、インクの保存安定性が低下する場合がある。
【０１８１】
（水性媒体）
本発明のインクには、水、又は水及び水溶性有機溶剤の混合溶媒である水性媒体を用いることができる。水は、脱イオン水（イオン交換水）を用いることが好ましい。インク中における水の含有量（質量％）は、インク全質量を基準として、１０．０質量％以上９０．０質量％以下であることが好ましい。
【０１８２】
水溶性有機溶剤は、水溶性であれば特に制限はなく、アルコール、多価アルコール、ポリグリコール、グリコールエーテル、含窒素極性溶媒、含硫黄極性溶媒などを用いることができる。インク中における水溶性有機溶剤の含有量（質量％）は、インク全質量を基準として、５．０質量％以上９０．０質量％以下、さらには１０．０質量％以上５０．０質量％以下であることが好ましい。水溶性有機溶剤の含有量が上記した範囲より少ないと、インクをインクジェット記録装置に用いる場合に吐出安定性などの信頼性が得られない場合がある。また、水溶性有機溶剤の含有量が上記した範囲より多いと、インクの粘度が上昇して、インクの供給不良が起きる場合がある。
【０１８３】
水溶性有機溶剤は、具体的には、例えば、以下のものを用いることができる。メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコールなどの炭素数１乃至４のアルキルアルコール類。ジメチルホルムアミド、ジメチルアセトアミドなどのアミド類。アセトン、ジアセトンアルコールなどのケトン又はケトアルコール類。テトラヒドロフラン、ジオキサンなどのエーテル類。ポリエチレングリコール、ポリプロピレングリコールなどのポリアルキレングリコール類。エチレングリコール、プロピレングリコール、ブチレングリコール、ジエチレングリコール、トリエチレングリコール、ヘキシレングリコール、チオジグリコールなどのグリコール類。１，５−ペンタンジオール、１，６−ヘキサンジオール、２−メチルー１，３−プロパンジオール、３−メチルー１，５−ペンタンジオール、１，２，６−ヘキサントリオ−ルなどのアルキレン基の炭素数が２乃至６のアルキレングリコール類。ビス（２−ヒドロキシエチル）スルホン。ポリエチレングリコールモノメチルエーテルアセテートなどのアルキルエーテルアセテート類。エチレングリコールモノメチル（又はエチル）エーテル、ジエチレングリコールメチル（又はエチル）エーテル、トリエチレングリコールモノメチル（又はエチル）エーテルなどの多価アルコールのアルキルエーテル類。Ｎ−メチル−２−ピロリドン、２−ピロリドン、１，３−ジメチル−２−イミダゾリジノンなど。勿論、本発明はこれらに限られるものではない。これらの水溶性有機溶剤は、必要に応じて１種又は２種以上を用いることができる。
【０１８４】
（その他の添加剤）
本発明のインクは、上記した成分以外にも必要に応じて、トリメチロールプロパン、トリメチロールエタンなどの多価アルコール類や、エチレン尿素などの尿素誘導体などの、常温で固体の水溶性有機化合物を含有してもよい。さらに、本発明のインクは必要に応じて、界面活性剤、ｐＨ調整剤、防錆剤、防腐剤、防黴剤、酸化防止剤、還元防止剤、蒸発促進剤、キレート化剤、及び水溶性ポリマーなど、種々の添加剤を含有してもよい。
【０１８５】
（その他のインク）
また、フルカラーの画像などを形成するために、本発明のインクは、本発明のインクとは別の色調を有するインクと組み合わせて用いることもできる。本発明のインクは、例えば、ブラックインク、シアンインク、マゼンタインク、イエローインク、レッドインク、グリーンインク及びブルーインクなどから選択される少なくともいずれか１種のインクと共に用いることが好ましい。また、本発明のインクは、これらのインクと実質的に同一の色調を有する、所謂淡インクをさらに組み合わせて用いることもできる。これらのインク又は淡インクの色材は、公知の染料であっても、新規に合成された色材であっても用いることができる。
【０１８６】
＜記録媒体＞
本発明のインクを用いて画像を形成する際に用いる記録媒体は、インクを付与して記録を行う記録媒体であればいずれのものでも用いることができる。本発明においては、染料や顔料などの色材をインク受容層の多孔質構造を形成する微粒子に吸着させる、インクジェット用の記録媒体を用いることが好ましい。特には、支持体上のインク受容層に形成された空隙によりインクを吸収する、所謂、隙間吸収タイプのインク受容層を有する記録媒体を用いることが好ましい。隙間吸収タイプのインク受容層は、微粒子を主体として構成されるものであり、さらに必要に応じて、バインダーやその他の添加剤を含有してもよい。
【０１８７】
微粒子は、具体的には、以下のものを用いることができる。シリカ、クレー、タルク、炭酸カルシウム、カオリン、アルミナ又はアルミナ水和物などの酸化アルミニウム、珪藻土、酸化チタン、ハイドロタルサイト、又は酸化亜鉛などの無機顔料。尿素ホルマリン樹脂、エチレン樹脂、スチレン樹脂などの有機顔料。これらの微粒子は、必要に応じて１種又は２種以上を用いることができる。
【０１８８】
バインダーは、水溶性高分子やラテックスなどが挙げられ、具体的には、以下のものを用いることができる。ポリビニルアルコール、澱粉、ゼラチン、又はこれらの変性体。アラビアゴム。カルボキシメチルセルロース、ヒドロキシエチルセルロース、又はヒドロキシプロオイルメチルセルロースなどのセルロース誘導体。ＳＢＲラテックス、ＮＢＲラテックス、メチルメタクリレート−ブタジエン共重合体ラテックス、官能基変性重合体ラテックス、又はエチレン酢酸ビニル共重合体などのビニル系共重合体ラテックス。ポリビニルピロリドン。無水マレイン酸若しくはその共重合体、又はアクリル酸エステル共重合体など。これらのバインダーは、必要に応じて１種又は２種以上を用いることができる。
【０１８９】
その他に、必要に応じて添加剤を用いることができる。例えば、分散剤、増粘剤、ｐＨ調整剤、潤滑剤、流動性変性剤、界面活性剤、消泡剤、離型剤、蛍光増白剤、紫外線吸収剤、酸化防止剤、染料定着剤などを用いることができる。
【０１９０】
特に、本発明のインクは、平均粒子径が１μｍ以下である微粒子を主体として、インク受容層を形成した記録媒体に用いることが好ましい。前記微粒子の具体例は、シリカ微粒子や酸化アルミニウム微粒子などが挙げられる。シリカ微粒子として好ましいものは、コロイダルシリカに代表されるシリカ微粒子である。コロイダルシリカは市販品を用いることもできるが、特には、例えば、特許第２８０３１３４号、同２８８１８４７号公報に記載のコロイダルシリカを用いることが好ましい。また、酸化アルミニウム微粒子として好ましいものは、アルミナ水和物微粒子（アルミナ系顔料）が挙げられる。
【０１９１】
前記アルミナ系顔料の中でも、下記式で表される擬ベーマイトなどのアルミナ水和物を特に好適なものとして挙げることができる。
ＡｌＯ3-n（ＯＨ）2n・ｍＨ2Ｏ
（式中、ｎは１乃至３の整数であり、ｍは０乃至１０、好ましくは０乃至５である。ただし、ｍとｎは同時には０とならない。）
ｍＨ2Ｏは、多くの場合、ｍＨ2Ｏ結晶格子の形成に関与しない脱離可能な水相をも表すものである。このため、ｍは整数又は整数でない値を取ることができる。また、この種のアルミナ水和物を加熱すると、ｍは０に達することがあり得る。
【０１９２】
アルミナ水和物は、下記のような公知の方法で製造することができる。例えば、米国特許第４，２４２，２７１号明細書、米国特許第４，２０２，８７０号明細書に記載のアルミニウムアルコキシドの加水分解やアルミン酸ナトリウムの加水分解で製造することができる。また、特公昭５７−４４６０５号公報に記載のアルミン酸ナトリウムなどの水溶液に、硫酸ナトリウムや塩化アルミニウムなどの水溶液を加えて中和を行う方法で製造することができる。
【０１９３】
記録媒体は上記したインク受容層を支持するための支持体を有することが好ましい。支持体は、インク受容層が、上記多孔質の微粒子で形成することが可能であって、かつインクジェット記録装置などの搬送機構によって搬送可能な剛度を与えるものであれば、特に制限はなく、いずれのものも用いることができる。例えば、天然セルロース繊維を主体としたパルプ原料で構成される紙支持体を用いることができる。また、ポリエステル（例えば、ポリエチレンテレフタラート）、セルローストリアセテート、ポリカーボネート、ポリ塩化ビニル、ポリプロピレン、ポリイミドなどの材料で構成されるプラスチック支持体を用いることができる。さらに、基紙の少なくとも一方の面に白色顔料などを添加したポリオレフィン樹脂被覆層を有する樹脂被覆紙（例：ＲＣペーパー）を用いることができる。
【０１９４】
＜インクジェット記録方法＞
本発明のインクは、インクをインクジェット方式で吐出して記録媒体に記録を行うインクジェット記録方法に用いることが特に好ましい。インクジェット記録方法は、インクに力学的エネルギーを作用することによりインクを吐出する記録方法や、インクに熱エネルギーを作用することによりインクを吐出する記録方法などがある。特に、本発明においては、熱エネルギーを利用するインクジェット記録方法を好ましく用いることができる。
【０１９５】
＜インクカートリッジ＞
本発明のインクを用いて記録を行うのに好適なインクカートリッジとしては、かかるインクを収容するインク収容部を備えたインクカートリッジが挙げられる。
【０１９６】
＜記録ユニット＞
本発明のインクを用いて記録を行うのに好適な記録ユニットは、かかるインクを収容するインク収容部と、インクを吐出するための記録ヘッドとを備えた記録ユニットが挙げられる。特に、前記記録ヘッドが、記録信号に対応した熱エネルギーをインクに作用することによりインクを吐出する記録ユニットを好ましく用いることができる。特に、本発明においては、金属及び／又は金属酸化物を含有する発熱部接液面を有する記録ヘッドを用いることが好ましい。前記発熱部接液面を構成する金属及び／又は金属酸化物は、具体的には、例えば、Ｔａ、Ｚｒ、Ｔｉ、Ｎｉ、若しくはＡｌなどの金属、又はこれらの金属の酸化物などが挙げられる。
【０１９７】
＜インクジェット記録装置＞
本発明のインクを用いて記録を行うのに好適なインクジェット記録装置は、かかるインクを収容するインク収容部と、インクを吐出するための記録ヘッドとを備えたインクジェット記録装置が挙げられる。特に、前記インクを収容するインク収容部を有する記録ヘッドの内部のインクに、記録信号に対応した熱エネルギーを作用することによりインクを吐出するインクジェット記録装置が挙げられる。
【０１９８】
以下に、インクジェット記録装置の機構部の概略構成を説明する。インクジェット記録装置は、各機構の役割から、給紙部、搬送部、キャリッジ部、排紙部、クリーニング部、及びこれらを保護し、意匠性を持たせる外装部などで構成される。
【０１９９】
図１は、インクジェット記録装置の斜視図である。また、図２及び図３は、インクジェット記録装置の内部機構を説明する図であり、図２は右上部からの斜視図、図３はインクジェット記録装置の側断面図をそれぞれ示す。
【０２００】
給紙を行う際には、給紙トレイＭ２０６０を含む給紙部において、記録媒体の所定枚数のみが給紙ローラＭ２０８０と分離ローラＭ２０４１から構成されるニップ部に送られる。記録媒体はニップ部で分離され、最上位の記録媒体のみが搬送される。搬送部に搬送された記録媒体は、ピンチローラホルダＭ３０００及びペーパーガイドフラッパーＭ３０３０に案内されて、搬送ローラＭ３０６０とピンチローラＭ３０７０とのローラ対に搬送される。搬送ローラＭ３０６０とピンチローラＭ３０７０とのローラ対は、ＬＦモータＥ０００２の駆動により回転し、この回転により記録媒体がプラテンＭ３０４０上を搬送される。
【０２０１】
記録媒体に画像を形成する際には、キャリッジ部は、記録ヘッドＨ１００１（図４；詳細な構成は後述する）を目的の画像を形成する位置に配置して、電気基板Ｅ００１４からの信号にしたがって記録媒体にインクを吐出する。記録ヘッドＨ１００１により記録を行いながらキャリッジＭ４０００が列方向に走査する主走査と、搬送ローラＭ３０６０により記録媒体を行方向に搬送する副走査とを交互に繰り返すことにより、記録媒体に画像を形成する。画像が形成された記録媒体は、排紙部において、第１の排紙ローラＭ３１１０と拍車Ｍ３１２０とのニップに挟まれた状態で搬送されて、排紙トレイＭ３１６０に排出される。
【０２０２】
なお、クリーニング部は、画像を形成する前後の記録ヘッドＨ１００１をクリーニングする。キャップＭ５０１０で記録ヘッドＨ１００１の吐出口をキャッピングした状態で、ポンプＭ５０００を作動すると、記録ヘッドＨ１００１の吐出口から不要なインクなどが吸引されるようになっている。また、キャップＭ５０１０を開いた状態で、キャップＭ５０１０の内部に残っているインクなどを吸引することにより、残インクによる固着やその他の弊害が起こらないようになっている。
【０２０３】
（記録ヘッドの構成）
ヘッドカートリッジＨ１０００の構成について説明する。ヘッドカートリッジＨ１０００は、記録ヘッドＨ１００１と、インクカートリッジＨ１９００を搭載する手段、及びインクカートリッジＨ１９００から記録ヘッドにインクを供給する手段を有しており、キャリッジＭ４０００に対して着脱可能に搭載される。
【０２０４】
図４は、ヘッドカートリッジＨ１０００に、インクカートリッジＨ１９００を装着する様子を示した図である。インクジェット記録装置は、イエロー、マゼンタ、シアン、ブラック、淡マゼンタ、淡シアン、及びグリーンの各インクで画像を形成する。したがって、インクカートリッジＨ１９００も７色分が独立に用意されている。なお、上記において、少なくともひとつのインクに、本発明のインクを用いる。そして、図４に示すように、それぞれのインクカートリッジが、ヘッドカートリッジＨ１０００に対して着脱可能となっている。なお、インクカートリッジＨ１９００の着脱は、キャリッジＭ４０００にヘッドカートリッジＨ１０００を搭載した状態でも行うことができる。
【０２０５】
図５は、ヘッドカートリッジＨ１０００の分解斜視図である。ヘッドカートリッジＨ１０００は、記録素子基板、プレート、電気配線基板Ｈ１３００、カートリッジホルダーＨ１５００、流路形成部材Ｈ１６００、フィルターＨ１７００、シールゴムＨ１８００などで構成される。記録素子基板は第１の記録素子基板Ｈ１１００及び第２の記録素子基板Ｈ１１０１で構成され、プレートは第１のプレートＨ１２００及び第２のプレートＨ１４００で構成される。
【０２０６】
第１の記録素子基板Ｈ１１００及び第２の記録素子基板Ｈ１１０１はＳｉ基板であり、その片面にインクを吐出するための複数の記録素子（ノズル）がフォトリソグラフィ技術により形成されている。各記録素子に電力を供給するＡｌなどの電気配線は成膜技術により形成されており、個々の記録素子に対応した複数のインク流路はフォトリソグラフィ技術により形成されている。さらに、複数のインク流路にインクを供給するためのインク供給口が裏面に開口するように形成されている。
【０２０７】
図６は、第１の記録素子基板Ｈ１１００及び第２の記録素子基板Ｈ１１０１の構成を説明する正面拡大図である。Ｈ２０００〜Ｈ２６００は、それぞれ異なるインク色に対応する記録素子の列（以下、ノズル列ともいう）である。第１の記録素子基板Ｈ１１００には、イエローインクのノズル列Ｈ２０００、マゼンタインクのノズル列Ｈ２１００、及びシアンインクのノズル列Ｈ２２００の３色分のノズル列が形成されている。第２の記録素子基板Ｈ１１０１には、淡シアンインクのノズル列Ｈ２３００、ブラックインクのノズル列Ｈ２４００、グリーンインクのノズル列Ｈ２５００、及び淡マゼンタインクのノズル列Ｈ２６００の４色分のノズル列が形成されている。
【０２０８】
各ノズル列は、記録媒体の搬送方向（副走査方向）に１２００ｄｐｉ（ｄｏｔ／ｉｎｃｈ；参考値）の間隔で並ぶ７６８個のノズルによって構成され、約２ピコリットルのインクを吐出する。各吐出口における開口面積は、およそ１００μｍ2に設定されている。
【０２０９】
以下、図４及び図５を参照して説明する。第１の記録素子基板Ｈ１１００及び第２の記録素子基板Ｈ１１０１は第１のプレートＨ１２００に接着固定されている。ここには、第１の記録素子基板Ｈ１１００及び第２の記録素子基板Ｈ１１０１にインクを供給するためのインク供給口Ｈ１２０１が形成されている。さらに、第１のプレートＨ１２００には、開口部を有する第２のプレートＨ１４００が接着固定されている。この第２のプレートＨ１４００は、電気配線基板Ｈ１３００と第１の記録素子基板Ｈ１１００及び第２の記録素子基板Ｈ１１０１とが電気的に接続されるように、電気配線基板Ｈ１３００を保持する。
【０２１０】
電気配線基板Ｈ１３００は、第１の記録素子基板Ｈ１１００及び第２の記録素子基板Ｈ１１０１に形成されている各ノズルからインクを吐出するための電気信号を印加する。この電気配線基板Ｈ１３００は、第１の記録素子基板Ｈ１１００及び第２の記録素子基板Ｈ１１０１に対応する電気配線と、この電気配線端部に位置し、インクジェット記録装置からの電気信号を受け取るための外部信号入力端子Ｈ１３０１とを有する。外部信号入力端子Ｈ１３０１は、カートリッジホルダーＨ１５００の背面側に位置決め固定されている。
【０２１１】
インクカートリッジＨ１９００を保持するカートリッジホルダーＨ１５００には、流路形成部材Ｈ１６００が、例えば、超音波溶着により固定され、インクカートリッジＨ１９００から第１のプレートＨ１２００に通じるインク流路Ｈ１５０１を形成する。インクカートリッジＨ１９００と係合するインク流路Ｈ１５０１のインクカートリッジ側端部には、フィルターＨ１７００が設けられており、外部からの塵埃の侵入を防止し得るようになっている。また、インクカートリッジＨ１９００との係合部にはシールゴムＨ１８００が装着され、係合部からのインクの蒸発を防止し得るようになっている。
【０２１２】
さらに、上記したように、カートリッジホルダー部と記録ヘッド部Ｈ１００１とを接着などで結合することで、ヘッドカートリッジＨ１０００が構成される。なお、カートリッジホルダー部は、カートリッジホルダーＨ１５００、流路形成部材Ｈ１６００、フィルターＨ１７００、及びシールゴムＨ１８００から構成される。また、記録ヘッド部Ｈ１００１は、第１の記録素子基板Ｈ１１００及び第２の記録素子基板Ｈ１１０１、第１のプレートＨ１２００、電気配線基板Ｈ１３００及び第２のプレートＨ１４００から構成される。
【０２１３】
なお、ここでは記録ヘッドの一形態として、電気信号に応じた膜沸騰をインクに生じさせるための熱エネルギーを生成する電気熱変換体（記録素子）を用いて記録を行うサーマルインクジェット方式の記録ヘッドについて述べた。この代表的な構成や原理については、例えば、米国特許第４，７２３，１２９号明細書、同第４，７４０，７９６号明細書に開示されている基本的な原理を用いて行うものが好ましい。この方式は、所謂、オンデマンド型、コンティニュアス型のいずれにも適用することができる。
【０２１４】
サーマルインクジェット方式は、オンデマンド型に適用することが特に有効である。オンデマンド型の場合には、インクを保持する液流路に対応して配置されている電気熱変換体に、記録情報に対応していて核沸騰を超える急速な温度上昇を与える少なくとも一つの駆動信号を印加する。このことによって、電気熱変換体に熱エネルギーを発生せしめ、インクに膜沸騰を生じさせて、結果的にこの駆動信号に一対一で対応したインク内の気泡を形成できる。この気泡の成長及び収縮により吐出口を介してインクを吐出することで、少なくともひとつの滴を形成する。駆動信号をパルス形状とすると、即時、適切に気泡の成長及び収縮が行われるので、特に応答性に優れたインクの吐出が達成でき、より好ましい。
【０２１５】
また、本発明のインクは、前記のサーマルインクジェット方式に限らず、下記に述べるような、力学的エネルギーを利用したインクジェット記録装置においても好ましく用いることができる。かかる形態のインクジェット記録装置は、複数のノズルを有するノズル形成基板と、ノズルに対向して配置される圧電材料と導電材料からなる圧力発生素子と、この圧力発生素子の周囲を満たすインクを備えてなる。そして、印加電圧により圧力発生素子を変位させ、インクをノズルから吐出する。
【０２１６】
インクジェット記録装置は、上記したように、記録ヘッドとインクカートリッジとが別体となったものに限らず、それらが分離不能に一体になったものを用いてもよい。さらに、インクカートリッジは、記録ヘッドに対して分離可能又は分離不能に一体化されてキャリッジに搭載されるもの、また、インクジェット記録装置の固定部位に設けられて、チューブなどのインク供給部材を介して記録ヘッドにインクを供給するものでもよい。また、記録ヘッドに対して、好ましい負圧を作用させるための構成をインクカートリッジに設ける場合には、以下の構成とすることができる。すなわち、インクカートリッジのインク収容部に吸収体を配置した形態、又は可撓性のインク収容袋とこれに対してその内容積を拡張する方向の付勢力を作用するばね部とを有した形態などとすることができる。また、インクジェット記録装置は、上記したようなシリアル型の記録方式を採るもののほか、記録媒体の全幅に対応した範囲にわたって記録素子を整列させてなるラインプリンタの形態をとるものであってもよい。
【実施例】
【０２１７】
以下、実施例及び比較例を用いて本発明をさらに詳細に説明するが、本発明は、その要旨を超えない限り、下記の実施例によって何ら限定されるものではない。なお、以下の記載で、「部」及び「％」とあるものは特に断らない限り質量基準である。
【０２１８】
＜色材の調製＞
［例示化合物５の合成と特性値の測定］
以下に示す合成フロー及び手順にしたがって、前記した例示化合物５（カリウム塩）を合成した。
2010100719.tif 000034
【０２１９】
（１）化合物ｂの合成
炭酸水素ナトリウム２５．５ｇ及びイオン交換水１５０ｍＬを混合して４０℃に加温し、これに塩化シアヌル（東京化成製；化合物ａ）２５．０ｇを１０分ごとに５等分して添加し、１時間撹拌して溶液を調製した。得られた溶液を、ヒドラジン一水和物５２．８ｍＬ及びイオン交換水４７ｍＬの混液（８℃）中に、内温が１０℃を超えないようにして滴下した。その後、内温を５０℃に昇温して、３０分撹拌した。析出した結晶をろ過して、２３．４ｇの化合物ｂ（ヒドラジン誘導体、融点＞３００℃）を得た。収率は９４．７％であった。
【０２２０】
（２）化合物ｃの合成
上記で得られた化合物ｂ（ヒドラジン誘導体）３５．０ｇをエチレングリコール４２０ｍＬに懸濁し、内温を５０℃にして撹拌した。これに、濃塩酸５９ｍＬを添加し、次にピバロイルアセトニトリル（東京化成製）６０．１ｇを添加し、温度５０℃で１０時間撹拌した。これに、濃塩酸９５ｍＬ、メタノール１４５ｍＬを添加して、さらに８時間撹拌した。室温になるまで冷却した後、析出した結晶をろ別し、８１．６ｇの化合物ｃ（５−アミノピラゾール誘導体、融点＝２３３〜２３５℃）を得た。収率は９４．２％であった。
【０２２１】
（３）化合物ｅの合成
化合物ｄ（東京化成製）９０．５７ｇを、水５００ｍＬに懸濁して、これに、１３０ｍＬの濃塩酸を添加し、添加後の内温が５℃以下になるまで冷却した。次に、亜硝酸ナトリウム３６．２３ｇを含む７０ｍＬの水溶液を内温４〜６℃の範囲で滴下し、さらに内温を５℃以下として３０分撹拌した。次に、１５９ｇの亜硫酸ナトリウム及び６３６ｍＬの水を、内温を２０℃以下に保ちながら添加し、さらに内温を２５℃として２５０ｍＬの濃塩酸を添加し、続いて内温を９０℃として１時間撹拌した。その後、内温を室温まで冷却した後、ろ過を行い、２００ｍＬの水で洗浄した後、風乾して、８０．０ｇの化合物ｅを得た。
【０２２２】
（４）化合物ｆの合成
上記で得た２３．３ｇの化合物ｅを、２０９ｍＬのエタノールに懸濁して、これに、トリエチルアミン２８ｍＬを室温で滴下した。その後、これに、１２．２ｇのエトキシメチレンマロノニトリル（ＡＬＤＲＩＣＨ製）を数回に分けて添加した。さらに、３時間還流を行った後、室温まで冷却して、ろ過を行い、４００ｍＬのイソプロピルアルコールで洗浄した後、乾燥して、２３．５７ｇの化合物ｆを得た。
【０２２３】
（５）例示化合物５の合成
内温を４℃以下として硫酸３２．４ｍＬに酢酸１４５．５６ｍＬを添加し、内温を７℃以下として撹拌下で４０質量％のニトロシル硫酸１５．９ｍＬ（ＡＬＤＲＩＣＨ製）を滴下した。これに、上記で得た３２．４ｇの化合物ｆを数回に分けて添加し、内温を１０℃として６０分撹拌した。その後、尿素１．８３ｇを添加した１８．８ｇの化合物ｃを４７０ｍＬのメタノールに懸濁した溶液中に、内温を０℃未満として化合物ｆのジアゾニウム塩を滴下して、内温を０℃未満として３０分撹拌した。その後、反応液の内温を室温まで昇温した後、ろ過を行い、メタノールで洗浄し、さらに水で洗浄して、粗結晶を得た。得られた粗結晶をメタノール４００ｍＬに懸濁して、還流下で６０分撹拌した後、室温まで冷却して、ろ過を行い、メタノール、水、メタノールの順序でそれぞれ洗浄した後、７５℃で一晩乾燥して、例示化合物５の遊離酸型結晶３４．４ｇを得た。得られた結晶を水に溶解して１０質量％の水溶液（２５℃：ｐＨ≒８．３：ＫＯＨ水溶液で調整）とした後、内温５０℃でイソプロパノールを添加して晶析した後、冷却して、ろ過を行い、さらにイソプロパノールで洗浄して、乾燥した。このようにして、３５．０ｇの例示化合物５（カリウム塩）を得た。
【０２２４】
（６）例示化合物５の特性値の測定
上記で得られた例示化合物５について、水中でのλmax値及びε値を測定し、結果を表１に示した。なお、吸光度は以下の条件で測定した。
・分光光度計：自記分光光度計（商品名：Ｕ−３３００；日立製作所製）
・測定セル：１ｃｍ  石英セル
・サンプリング間隔：０．１ｎｍ
・スキャン速度：３０ｎｍ／ｍｉｎ
【０２２５】
［例示化合物３の合成と特性値の測定］
例示化合物５の合成フローにおける化合物ｄを、５−アミノ−１，３−ベンゼンジスルホン酸に変えること以外は、前記した例示化合物５の合成と同様の合成フロー及び手順にしたがって、前記した例示化合物３を合成した。得られた例示化合物３の水中でのλmax値及びε値を表１に示した。なお、吸光度の測定条件は、例示化合物５の場合と同様である。
【０２２６】
2010100719.tif 000035
【０２２７】
［例示化合物１００の合成］
以下に示す合成手順にしたがって、前記した例示化合物１００（ナトリウム塩）を合成した。
下記式（Ｃ）で表されるモノアゾ化合物６２．４ｇ（０．１２６モル）を（米国特許第３，２６４，１０９号に記載のようにして製造し）これを２００ｍＬの水に加え、３０％水酸化ナトリウム水溶液を添加することにより液体のｐＨを９．５とした。この液体のｐＨを８．２乃至８．５、液温を２０乃至２５℃に保ちながら、この液体中に、塩化シアヌル２５．４ｇ（０．１３８モル）をエチルアセテート（９０ｍＬ）に溶解した溶液を加えた。３０分後に、この反応混合物のｐＨを８、液温を２５℃に保ちながら、この液体中に、３−メルカプト−１−プロパンスルホン酸ナトリウム塩２４．６ｇ（０．１３８モル）を５０ｍＬの水に溶解した溶液を加えた。そして、この反応混合物を同様の温度及びｐＨを保ち、１時間撹拌した。その後、これに、炭酸ナトリウム６．７ｇ（０．０６３モル）及び３−メルカプト−１−プロパンスルホン酸ナトリウム塩２４．８ｇ（０．１３９モル）を５０ｍＬの水に溶解した溶液を加え、反応混合物を温度７０℃で４時間加熱してから室温に冷却した。これに、０．７ｍＬの酢酸を加えることで液体のｐＨを７としてから、７００ｍＬのエタノールを加えた。生成した固体をろ過することにより集め、１５０ｍＬのエタノールで洗浄した後、温度６０℃で真空乾燥して例示化合物１００（ナトリウム塩）１１４ｇを得た。このようにして得られた例示化合物１００の水中でのλmax値は４０１ｎｍであった。なお、吸光度の測定条件は、例示化合物５の場合と同様である。
【０２２８】
2010100719.tif 000036
【０２２９】
［例示化合物１２７の合成］
例示化合物１００の合成手順における出発物質及び反応条件を適切に変更して、前記した例示化合物１２７を得た。
【０２３０】
＜インクの調製＞
上記で得られたイエロー色材である例示化合物３、５、１００、及び１２７を用いて、下記のようにしてインクをそれぞれ調製した。具体的には、先ず、下記表２に示した各成分をそれぞれ混合して、十分撹拌した。その後、ポアサイズ０．２μｍのフィルターにて加圧ろ過を行い、各インクをそれぞれ調製した。なお、表２中、「第１の色材／第２の色材」は、第１の色材のインク中における含有量と、第２の色材のインク中における含有量の質量比率を表している。
【０２３１】
2010100719.tif 000037
【０２３２】
2010100719.tif 000038
【０２３３】
2010100719.tif 000039
【０２３４】
＜評価＞
（１）耐光性
上記で得られた各インクをそれぞれ、熱エネルギーを利用したインクジェット記録装置（商品名：ＰＩＸＵＳ  ｉＰ８６００）に搭載した。記録条件を、温度２３℃、相対湿度５５％、記録密度２，４００ｄｐｉ×１，２００ｄｐｉ、吐出量２．５ｐＬとした。ここで、以下のようにして、記録物の作製の際に用いる記録媒体を作製した。先ず、低密度ポリエチレン７０部、高密度ポリエチレン２０部、及び酸化チタン１０部を含む樹脂組成物を、坪量１５５ｇ／ｍ2の基紙の両面に２５ｇ／ｍ2となるように塗布することで、樹脂で被覆した支持体を作製した。そして、前記支持体上に、アルミナ水和物及びポリビニルアルコールを主成分としたインク受容層を形成した。このようにして、隙間タイプのインク受容層を備えてなり、ＪＡＰＡＮ  ＴＡＰＰＩ紙パルプ試験方法Ｎｏ．４９−１にしたがって測定した３分後の表面ｐＨが５．０である記録媒体を作製した。
【０２３５】
得られた記録媒体に記録デューティを５０％とした画像を形成して、画像を温度２３℃、相対湿度５５％で２４時間自然乾燥した。このようにして得られた各記録物の画像の部分について、光学濃度を測定した（「試験前の光学濃度」とする）。さらに、これらの各記録物を、スーパーキセノン試験機（商品名：ＳＸ−７５；スガ試験機製）を用いて、照射強度１００キロルクス、槽内温度２４℃、相対湿度６０％で７２時間曝露した。その後、各記録物の画像の部分について、光学濃度を測定した（「試験後の光学濃度」とする）。なお、光学濃度は、分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件で測定した。得られた試験前の光学濃度及び試験後の光学濃度の各値から、下記式に基づいて光学濃度の残存率を算出して、画像の耐光性の評価を行った。画像の耐光性の基準は以下の通りである。評価結果を表３に示した。
2010100719.tif 000040
Ａ：光学濃度の残存率が９０％以上。
Ｂ：光学濃度の残存率が８０％以上９０％未満。
Ｃ：光学濃度の残存率が８０％未満。
【０２３６】
（２）色調
上記で得られた各インクをそれぞれ、熱エネルギーを利用したインクジェット記録装置（商品名：ＰＩＸＵＳ  ｉＰ８６００）に搭載した。記録条件を、温度２３℃、相対湿度５５％、記録密度２，４００ｄｐｉ×１，２００ｄｐｉ、吐出量２．５ｐＬとした。そして、上記と同様の記録媒体に記録デューティを１００％とした画像を形成して、画像を温度２３℃、相対湿度５５％で２４時間自然乾燥した。このようにして得られた各記録物の画像の部分について、分光光度計（商品名：Ｓｐｅｃｔｒｏｌｉｎｏ；Ｇｒｅｔａｇ  Ｍａｃｂｅｔｈ製）を用いて色相角を測定し、画像の色調の評価を行った。画像の色調の評価基準は以下の通りである。評価結果を表３に示した。
Ａ：色相角が８８．０°以上９０．５°以下。
Ｂ：色相角が８５．５°以上８８．０°未満、又は９０．５°より大きく９１°．０以下。
Ｃ：色相角が８５．５°未満、又は９１．０°より大きい。
【０２３７】
2010100719.tif 000041
【図面の簡単な説明】
【０２３８】
【図１】インクジェット記録装置の斜視図である。
【図２】インクジェット記録装置の機構部の斜視図である。
【図３】インクジェット記録装置の断面図である。
【図４】ヘッドカートリッジにインクカートリッジを装着する状態を示す斜視図である。
【図５】ヘッドカートリッジの分解斜視図である。
【図６】ヘッドカートリッジにおける記録素子基板を示す正面図である。
【符号の説明】
【０２３９】
Ｍ２０４１：分離ローラ
Ｍ２０６０：給紙トレイ
Ｍ２０８０：給紙ローラ
Ｍ３０００：ピンチローラホルダ
Ｍ３０３０：ペーパーガイドフラッパー
Ｍ３０４０：プラテン
Ｍ３０６０：搬送ローラ
Ｍ３０７０：ピンチローラ
Ｍ３１１０：排紙ローラ
Ｍ３１２０：拍車
Ｍ３１６０：排紙トレイ
Ｍ４０００：キャリッジ
Ｍ５０００：ポンプ
Ｍ５０１０：キャップ
Ｍ７０３０：アクセスカバー
Ｅ０００２：ＬＦモータ
Ｅ００１４：電気基板
Ｈ１０００：ヘッドカートリッジ
Ｈ１００１：記録ヘッド
Ｈ１１００：第１の記録素子基板
Ｈ１１０１：第２の記録素子基板
Ｈ１２００：第１のプレート
Ｈ１２０１：インク供給口
Ｈ１３００：電気配線基板
Ｈ１３０１：外部信号入力端子
Ｈ１４００：第２のプレート
Ｈ１５００：カートリッジホルダー
Ｈ１５０１：インク流路
Ｈ１６００：流路形成部材
Ｈ１７００：フィルター
Ｈ１８００：シールゴム
Ｈ１９００：インクカートリッジ
Ｈ２０００：イエローノズル列
Ｈ２１００：マゼンタノズル列
Ｈ２２００：シアンノズル列
Ｈ２３００：淡シアンノズル列
Ｈ２４００：ブラックノズル列
Ｈ２５００：グリーンノズル列
Ｈ２６００：淡マゼンタノズル列
【図１】
2010100719.tif 000048
【図２】
2010100719.tif 000049
【図３】
2010100719.tif 000050
【図４】
2010100719.tif 000051
【図５】
2010100719.tif 000052
【図６】
2010100719.tif 000053